(57)【特許請求の範囲】
【請求項１】
便器に洗浄水を供給する洗浄水タンク装置であって、
便器本体の後方側に設けられた壁面の裏側領域内に隠蔽され、上記便器本体に供給する洗浄水を貯水する貯水タンクと、
この貯水タンク内に設けられ、上記貯水タンクの外部の給水源から上記貯水タンク内に給水する給水部と、
上記貯水タンク内に設けられ、上記貯水タンク内の洗浄水を上記便器本体に排水する排水部と、
上記貯水タンクの内側から外側まで貫くように延びて、その内側端部が上記給水部又は上記排水部の一部と連結される回転軸と、
上記貯水タンク内に設けられ、通常時の自動便器洗浄操作を開始する際に、使用者側から送信された信号又は上記使用者を検知した信号に基づいて上記回転軸を回転駆動させて、上記給水部による給水動作又は上記排水部による排水動作を操作する電動駆動ユニットと、
上記回転軸の外側端部に上記電動駆動ユニットを介して取り付けられて上記壁面の裏側領域内で操作可能であり、上記通常時の自動便器洗浄操作を開始する際には、上記電動駆動ユニットの電動駆動により上記回転軸と共に回転する通常時の回転操作が行われ、停電による非常時の便器洗浄操作を開始する際には、上記電動駆動ユニットに関わることなく上記回転軸と共に回転する非常時の回転操作が行われる通常時／非常時兼用操作部と、
上記停電による非常時の便器洗浄操作を開始する際に、上記壁面の裏側領域内の上記通常時／非常時兼用操作部を上記壁面の表側領域内において手動で操作可能にする非常用の手動操作ユニットと、を有し、
上記電動駆動ユニットは、複数の洗浄モードを実行可能であり、
上記通常時／非常時兼用操作部は、上記電動駆動ユニットによって回動する第１操作レバー部材を備えており、
上記非常用の手動操作ユニットは、
上記壁面に設けられて手動により上記壁面の表側に引き出し操作が可能な表側操作部を含む表側操作ユニットと、
上記壁面の裏側領域内の上記通常時／非常時兼用操作部に隣接して設けられた裏側操作部を含む裏側操作ユニットと、
上記表側操作部に連結される前端部から上記裏側操作部に連結される後端部まで延びるワイヤ部材を含むワイヤ操作ユニットと、を備えており、
上記停電による非常時の便器洗浄操作を開始する際に、上記表側操作部を上記壁面の表側に手動で引き出し操作を行うことにより上記ワイヤ部材を介して上記裏側操作部を操作して上記通常時／非常時兼用操作部を回転操作し、上記給水部による給水動作又は上記排水部による排水動作を操作可能に構成され、
上記裏側操作部は、上記貯水タンクに対して回動可能に設けられた第２操作レバー部材を備えており、
この第２操作レバー部材は、上記複数の洗浄モードで上記第１操作レバー部材が一方及び他方のいずれの方向に回動した場合においても上記第１操作レバー部材と干渉しないように配置されていると共に、上記第２操作レバー部材の回動により上記複数の洗浄モードのうちの１つの洗浄モードが実行されるように上記貯水タンクに対して回動可能に設けられていることを特徴とする洗浄水タンク装置。
【請求項２】
上記給水部は、上記回転軸に連結されて上記給水源から上記貯水タンクに延びる給水路を開閉することにより上記給水源から上記貯水タンク内に洗浄水を給止水する給水弁を備え、
上記通常時／非常時兼用操作部の第１操作レバー部材は、上記回転軸を介して上記給水弁に連結され、
上記第２操作レバー部材は、上記停電による非常時の便器洗浄操作を開始する際に、上記表側操作部を上記壁面の表側に手動で引き出し操作を行うことにより上記第１操作レバー部材側に回動して上記第１操作レバー部材に係合する先端部を備えており、この第２操作レバー部材の先端部が上記第１操作レバー部材を回転操作することにより、上記回転軸を介して上記給水弁を開弁させるように構成されている請求項１記載の洗浄水タンク装置。
【請求項３】
上記排水部は、上記回転軸に連結されて上記貯水タンクの底面に形成された排水口に対して上下動することにより開閉して上記貯水タンク内の洗浄水を上記便器本体に給止水する排水弁を備え、
上記通常時／非常時兼用操作部の第１操作レバー部材は、上記回転軸を介して上記排水弁に連結され、
上記第２操作レバー部材は、上記停電による非常時の便器洗浄操作を開始する際に、上記表側操作部を上記壁面の表側に手動で引き出し操作を行うことにより上記第１操作レバー部材側に回動して上記第１操作レバー部材に係合する先端部を備えており、この第２操作レバー部材の先端部が上記第１操作レバー部材を回転操作することにより、上記回転軸を介して上記排水弁を引き上げて開弁させるように構成されている請求項１記載の洗浄水タンク装置。
【請求項４】
上記第２操作レバー部材は、上記通常時の自動便器洗浄操作が行われている状態の上記第１操作レバー部材と常時干渉しないように上記第１操作レバー部材に隣接して配置されている請求項２又は３に記載の洗浄水タンク装置。
【請求項５】
上記回転軸は、上記給水弁又は上記排水弁に連結される第１回転軸であり、
上記裏側操作ユニットは、更に、上記貯水タンクの内側から外側まで貫くように延びて上記第２操作レバー部材の回転軸である第２回転軸を備え、
上記第２操作レバー部材は、更に、上記第２回転軸の外側端部に取り付けられる基端部と、上記先端部の近傍に設けられて上記ワイヤ部材の後端部が連結される連結部と、を備え、
上記第２操作レバー部材の上記基端部から上記先端部まで形成される上記第１操作レバー部材側の面は、上記通常時の自動便器洗浄操作が行われている状態の上記第１操作レバー部材と常時接触しないように湾曲状に形成されている請求項４記載の洗浄水タンク装置。
【請求項６】
上記裏側操作ユニットは、更に、上記第２回転軸をその回転時の回転方向とは反対方向に付勢する裏側操作用の付勢部材を備え、この裏側操作用の付勢部材は、上記表側操作部を上記壁面の表側に手動で引き出し操作を行う前の状態である待機位置の上記第２操作レバー部材が、上記引き出し操作により第１回転方向に回転して上記第１操作レバー部材を回転操作した後、上記引き出し操作を解除したときに上記第１回転方向とは反対の第２回転方向に回転して上記待機位置に戻るように上記第２回転軸を付勢する請求項５記載の洗浄水タンク装置。
【請求項７】
更に、上記貯水タンクの上部に設けられて、上記第１回転軸、上記電動駆動ユニット、上記第１操作レバー部材、上記第２回転軸、及び上記第２操作レバー部材のそれぞれを上記貯水タンクに対して固定する固定部材を有し、
上記第１操作レバー部材は、上記固定部材を上記貯水タンクの側方に貫く上記第１回転軸の外側端部に上記固定部材を介して取り付けられ、上記第２操作レバー部材の上記基端部は、上記固定部材を上記貯水タンクの側方に貫き且つ上記第１回転軸に対して平行に延びる上記第２回転軸の外側端部に上記固定部材を介して取り付けられ、
上記固定部材は、上記第１操作レバー部材に対して上記第２操作レバー部材とは反対側に設けられた肩部と、
この肩部から上記第１操作レバー部材及び上記第２操作レバー部材のそれぞれと常時干渉しないように上記第１回転軸及び上記第２回転軸の軸方向外側且つ斜め下方に向かって突出して延びる第１アーム部と、
上記第１操作レバー部材及び上記第２操作レバー部材と常時干渉しないように上記第１アーム部の下端から上記第１操作レバー部材側に屈曲して延びる第２アーム部と、を備え、この第２アーム部の先端部は、非操作状態の上記第１操作レバー部材の軸方向外側面に隣接する付近に位置し、
上記ワイヤ操作ユニットは、更に、上記ワイヤ部材が摺動可能に挿入されるチューブ部材を備え、このチューブ部材は、上記ワイヤ部材の前端部が突出した状態で上記表側操作ユニットに固定される前端部と、上記ワイヤ部材の後端部が突出した状態で上記第２アーム部に固定される後端部と、を備え、
上記ワイヤ部材の後端部は、上記第２アーム部に固定された上記チューブ部材の後端部から所定長さ伸ばした状態で上記待機位置の上記第２操作レバー部材の上記連結部に連結され、
上記待機位置の上記第２操作レバー部材の上記連結部及び上記ワイヤ部材の後端部は、上記停電による非常時の便器洗浄操作を開始する際に、上記引き出し操作を行う毎に、上記チューブ部材の後端部に近接する最大操作位置まで一定のストローク量で移動可能に上記チューブ部材の後端部に対して所定距離だけ離間して位置決めされている請求項６記載の洗浄水タンク装置。
【請求項８】
上記壁面は、上記貯水タンクよりも前方に設けられた第１壁面であり、上記貯水タンクよりも後方側には、第２壁面が設けられており、
更に、上記第１壁面と上記第２壁面との間に設けられて且つ上記貯水タンクの側方側の上方に配置され、上記第１回転軸、上記電動駆動ユニット、及び上記第１操作レバー部材を上記貯水タンクに対して位置決めする第１固定部と、上記第２回転軸及び上記第２操作レバー部材を上記貯水タンクに対して位置決めする第２固定部と、を備えた固定部材を有し、
上記第１操作レバー部材は、上記第１固定部を上記貯水タンクの側方に貫く上記第１回転軸の外側端部に上記第１固定部を介して取り付けられ、上記第２操作レバー部材の上記基端部は、上記第２固定部を上記貯水タンクの側方に貫き且つ上記第１回転軸に対して平行に延びる上記第２回転軸の外側端部に上記第２固定部を介して取り付けられ、
上記固定部材は、更に、上記第１操作レバー部材に対して上記第２操作レバー部材とは反対側に位置する上記第１壁面又は上記第２壁面に設けられた第３固定部を備え、この第３固定部は、上記第１操作レバー部材及び上記第２操作レバー部材のそれぞれと常時干渉しないように上記第１回転軸及び上記第２回転軸の軸方向外側に位置し、上記第２操作レバー部材とは反対側に位置する上記第１壁面又は上記第２壁面から上記第１操作レバー部材側に延びており、
上記ワイヤ操作ユニットは、更に、上記ワイヤ部材が摺動可能に挿入されるチューブ部材を備え、このチューブ部材は、上記ワイヤ部材の前端部が突出した状態で上記表側操作ユニットに固定される前端部と、上記ワイヤ部材の後端部が突出した状態で上記第３固定部に固定される後端部と、を備え、
上記ワイヤ部材の後端部は、上記第３固定部に固定された上記チューブ部材の後端部から所定長さ伸ばした状態で上記待機位置の上記第２操作レバー部材の上記連結部に連結され、
上記待機位置の上記第２操作レバー部材の上記連結部及び上記ワイヤ部材の後端部は、上記停電による非常時の便器洗浄操作を開始する際に、上記表側操作部を上記第１壁面の表側に手動で引き出し操作を行う毎に、上記チューブ部材の後端部に近接する最大操作位置まで一定のストローク量で移動可能に上記チューブ部材の後端部に対して所定距離だけ離間して位置決めされている請求項６記載の洗浄水タンク装置。
【請求項９】
上記チューブ部材の後端部は、上記固定部材に取り外し可能に取り付けられ、上記ワイヤ部材の後端部は、上記第２操作レバー部材の上記連結部に取り外し可能に取り付けられている請求項７又は８に記載の洗浄水タンク装置。
【請求項１０】
上記表側操作ユニットは、上記壁面に取り付けられて、上記壁面の表側から上記壁面の裏側領域内に向かって筒状に形成されるケース本体部を備え、このケース本体部の後端部には、上記チューブ部材の前端部が固定され、上記表側操作部は、上記ワイヤ部材の前端部が連結されて使用者が把持可能に上記ケース本体部の内部に設けられた環状部材を備え、この環状部材は、使用者が把持した状態で上記ケース本体部に対して上記壁面の表側に手動で引き出し操作が可能である請求項７乃至９の何れか１項に記載の洗浄水タンク装置。
【請求項１１】
上記表側操作ユニットは、更に、上記ケース本体部の表側に形成される開口部を表側から覆うように着脱可能に取り付けられる蓋部材と、上記環状部材及び上記ワイヤ部材以外の上記ケース本体部の内部と上記蓋部材とを接続して上記蓋部材を取り外した状態で上記蓋部材が上記ケース本体部から脱落することを防ぐ抜け止め部材と、を備えている請求項１０記載の洗浄水タンク装置。
【請求項１２】
上記ケース本体部は、上記環状部材を収納する第１ケース本体部と、この第１ケース本体部の後端側に設けられた第２ケース本体部と、を備え、
上記表側操作ユニットは、更に、上記第２ケース本体部内に設けられた表側操作用の付勢部材と、上記第２ケース本体部内に摺動可能に設けられて上記表側操作用の付勢部材を保持する保持部材と、を備えており、上記環状部材を上記壁面の表側に手動で引き出し操作を行うことにより、上記保持部材が上記ワイヤ部材の移動と共に摺動して上記表側操作用の付勢部材を付勢し、その後、上記引き出し操作を解除すると、上記表側操作用の付勢部材の付勢力により上記保持部材が元の位置に移動して上記環状部材が上記第１ケース本体部内に収納されるように構成されている請求項１０又は１１に記載の洗浄水タンク装置。
【請求項１３】
上記非常用の手動操作ユニットは、上記貯水タンクの仕様に関わらず上記貯水タンクに適用可能である請求項１乃至１２の何れか１項に記載の洗浄水タンク装置。
【発明の詳細な説明】
【技術分野】
【０００１】
本発明は、洗浄水タンク装置に係り、特に、便器に洗浄水を供給する洗浄水タンク装置に関する。
【背景技術】
【０００２】
従来から、便器に洗浄水を供給する装置として、例えば、特許文献１に記載されているように、水洗便器本体の後部に設置される収納棚内に設置されたフラッシュバルブ装置が知られている。このフラッシュバルブ装置は、水道源に接続されたフラッシュバルブ本体と、このフラッシュバルブ本体を手動操作するための手動操作装置とを備えている。また、この手動操作装置は、トイレ壁に取り付けられた操作ボタンと、スライド機構と、ケーブル機構と、連結機構とを備えており、操作ボタンを押圧操作することにより、スライド機構がスライドしてケーブル機構に引張り力を与えてケーブルを引っ張り、このケーブルの引張り力により連結機構を介してフラッシュバルブ本体の起動棒が傾動し、フラッシュバルブ本体が開弁して便器本体内に洗浄水が供給されるようになっている。
また、便器に洗浄水を供給する装置として、上述した特許文献１に記載されているフラッシュバルブ装置以外にも、特許文献２に記載されているように、便器本体に供給する洗浄水を貯水する貯水タンクが、便器本体の後方側のキャビネットの内部に隠蔽されている洗浄水タンク装置も知られている。
さらに、従来から、便器に洗浄水を供給する洗浄水タンク装置として、特許文献３に記載されているように、貯水タンクの下部の排水口を開閉するフラッパー弁と、このフラッパー弁を引き上げる引き上げ部材と、この引き上げ部材を回転駆動する電動モータとを備えており、フラッパー弁の開弁操作を行う際に、リモコンからの信号に基づいて電動モータが引き上げ部材を回転駆動することにより、引き上げ部材がフラッパー弁を自動で引き上げるものも知られている。
【先行技術文献】
【特許文献】
【０００３】
【特許文献１】特開２００２−２０６２６６号公報
【特許文献２】特開２０１５−１０８１号公報
【特許文献３】特開２００７−３０８９０８号公報
【発明の概要】
【発明が解決しようとする課題】
【０００４】
また、上述した特許文献１に記載されている従来のフラッシュバルブ装置においては、手動操作装置によるフラッシュバルブ本体の開閉動作を効果的に行うには、手動操作装置のケーブル機構のケーブルを引っ張る量、すなわち、ケーブルのストローク量をできるだけ大きく設定してフラッシュバルブ本体の起動棒の傾動を操作することが好ましい。また、手動操作装置において、ケーブル機構とスライド機構との間に連結機構が介在されているため、ケーブル機構のケーブルのストローク量を大きくするには、操作ボタンの押し込み量をできるだけ大きく設定して、スライド機構のスライド量をできるだけ大きく設定しなければならない。
しかしながら、手動操作装置の操作ボタンの押し込み量が大きくなる程、使用者にとって操作ボタンの押圧操作を行う際により大きな操作力（押圧力）や操作ボタンを十分に押し込み可能な十分な設置スペースも要求されるため、手動操作装置の汎用性も低くなるという問題がある。
また、上述した特許文献３に記載されている従来の洗浄水タンク装置については、上述した特許文献２に記載されているように、貯水タンクが便器本体の後方側のキャビネットの内部に隠蔽されている場合、停電時に電動モータが作動しなくなると、フラッパー弁の開弁操作を手動で行い、便器洗浄操作を行わなければならない。
しかしながら、このような停電による非常時の手動によるフラッパー弁の開弁操作について、例えば、キャビネットの一部を開放する等して、キャビネット内の貯水タンクにおけるフラッパー弁の引き上げ部材の操作部にアクセスし、この引き上げ部材の操作部を手動で操作しなければならず、停電による非常時の便器洗浄の開始操作をキャビネットの外部から容易に手動操作することができないという問題がある。
さらに、このような停電による非常時の便器洗浄操作をキャビネットの外部で操作可能にするには、上述した特許文献１に記載されている操作ボタンをキャビネットの外部に適用することにより、キャビネットの外部から操作ボタンを手動で押圧操作してフラッパー弁を開弁操作することも考えられる。
しかしながら、このようなフラッパー弁を効率よく引き上げるためには、可能な限り大きなストローク量でフラッパー弁を引き上げる必要があるため、操作ボタンの押し込み量では、大きなストローク量が得られ難いという問題がある。
【０００５】
そこで、本発明は、上述した従来技術の問題を解決するためになされたものであり、停電による非常時の便器洗浄操作を開始する際に、便器本体の後方側の壁面の裏側領域内に隠蔽された貯水タンク内の給水部による給水動作又は排水部による排水動作を容易に手動操作することができる洗浄水タンク装置を提供することを目的としている。
【課題を解決するための手段】
【０００６】
上記の目的を達成するために、本発明は、便器に洗浄水を供給する洗浄水タンク装置であって、便器本体の後方側に設けられた壁面の裏側領域内に隠蔽され、上記便器本体に供給する洗浄水を貯水する貯水タンクと、この貯水タンク内に設けられ、上記貯水タンクの外部の給水源から上記貯水タンク内に給水する給水部と、上記貯水タンク内に設けられ、上記貯水タンク内の洗浄水を上記便器本体に排水する排水部と、上記貯水タンクの内側から外側まで貫くように延びて、その内側端部が上記給水部又は上記排水部の一部と連結される回転軸と、上記貯水タンク内に設けられ、通常時の自動便器洗浄操作を開始する際に、使用者側から送信された信号又は上記使用者を検知した信号に基づいて上記回転軸を回転駆動させて、上記給水部による給水動作又は上記排水部による排水動作を操作する電動駆動ユニットと、上記回転軸の外側端部に上記電動駆動ユニットを介して取り付けられて上記壁面の裏側領域内で操作可能であり、上記通常時の自動便器洗浄操作を開始する際には、上記電動駆動ユニットの電動駆動により上記回転軸と共に回転する通常時の回転操作が行われ、停電による非常時の便器洗浄操作を開始する際には、上記電動駆動ユニットに関わることなく上記回転軸と共に回転する非常時の回転操作が行われる通常時／非常時兼用操作部と、上記停電による非常時の便器洗浄操作を開始する際に、上記壁面の裏側領域内の上記通常時／非常時兼用操作部を上記壁面の表側領域内において手動で操作可能にする非常用の手動操作ユニットと、を有し、上記電動駆動ユニットは、複数の洗浄モードを実行可能であり、上記通常時／非常時兼用操作部は、上記電動駆動ユニットによって回動する第１操作レバー部材を備えており、上記非常用の手動操作ユニットは、上記壁面に設けられて手動により上記壁面の表側に引き出し操作が可能な表側操作部を含む表側操作ユニットと、上記壁面の裏側領域内の上記通常時／非常時兼用操作部に隣接して設けられた裏側操作部を含む裏側操作ユニットと、上記表側操作部に連結される前端部から上記裏側操作部に連結される後端部まで延びるワイヤ部材を含むワイヤ操作ユニットと、を備えており、上記停電による非常時の便器洗浄操作を開始する際に、上記表側操作部を上記壁面の表側に手動で引き出し操作を行うことにより上記ワイヤ部材を介して上記裏側操作部を操作して上記通常時／非常時兼用操作部を回転操作し、上記給水部による給水動作又は上記排水部による排水動作を操作可能に構成され、上記裏側操作部は、上記貯水タンクに対して回動可能に設けられた第２操作レバー部材を備えており、この第２操作レバー部材は、上記複数の洗浄モードで上記第１操作レバー部材が一方及び他方のいずれの方向に回動した場合においても上記第１操作レバー部材と干渉しないように配置されていると共に、上記第２操作レバー部材の回動により上記複数の洗浄モードのうちの１つの洗浄モードが実行されるように上記貯水タンクに対して回動可能に設けられていることを特徴としている。
このように構成された本発明においては、非常用の手動操作ユニットが、壁面に設けられて手動により壁面の表側に引き出し操作が可能な表側操作部を含む表側操作ユニットと、壁面の裏側領域内の通常時／非常時兼用操作部に隣接して設けられた裏側操作部を含む裏側操作ユニットと、表側操作部に連結される前端部から裏側操作部に連結される後端部まで延びるワイヤ部材を含むワイヤ操作ユニットと、を備えているため、停電による非常時の便器洗浄操作を開始する際に、非常用の手動操作ユニットの表側操作ユニットの表側操作部を壁面の表側に手動で引き出し操作を行うことによりワイヤ操作ユニットのワイヤ部材を介して裏側操作ユニットの裏側操作部を操作して、通常時／非常時兼用操作部を回転操作することができる。したがって、便器本体の後方側の壁面の裏側領域内に隠蔽された貯水タンクであっても、停電による非常時において給水部の給水動作又は排水部の排水動作を壁面の表側から容易に手動操作することができ、貯水タンクから便器本体に洗浄水を供給して確実な便器洗浄を行うことができる。また、停電による非常時の便器洗浄操作を開始する際に、表側操作ユニットの表側操作部を壁面の表側に手動で引き出し操作を行うことによりワイヤ部材を直接的に且つ比較的大きなストローク量で移動させることができるため、通常時／非常時兼用操作部を比較的大きな操作量で操作することができ、給水部による給水動作又は排水部による排水動作を効率よく操作することができる。
さらに、電動駆動ユニットが複数の洗浄モードを実行可能であり、通常時／非常時兼用操作部の第１操作レバー部材が複数の洗浄モードで一方及び他方のいずれの方向に回動した場合においても、第２操作レバー部材が第１操作レバー部材と干渉しないように配置されているため、回転操作時の第１操作レバー部材や回転軸に対して、第２操作レバー部材の干渉による回転の負荷や消耗等を無くすことができる。
また、第２操作レバー部材が第１操作レバー部材に接触したり、第１操作レバー部材の回転と連動したりすることも防ぐことができるため、第２操作レバー部材の使用頻度を停電による非常時に制限することができ、第２操作レバー部材やこれに関与するその他の部品の消耗を防ぐことができる。
【０００７】
本発明において、好ましくは、上記給水部は、上記回転軸に連結されて上記給水源から上記貯水タンクに延びる給水路を開閉することにより上記給水源から上記貯水タンク内に洗浄水を給止水する給水弁を備え、上記通常時／非常時兼用操作部の第１操作レバー部材は、上記回転軸を介して上記給水弁に連結され、上記第２操作レバー部材は、上記停電による非常時の便器洗浄操作を開始する際に、上記表側操作部を上記壁面の表側に手動で引き出し操作を行うことにより上記第１操作レバー部材側に回動して上記第１操作レバー部材に係合する先端部を備えており、この第２操作レバー部材の先端部が上記第１操作レバー部材を回転操作することにより、上記回転軸を介して上記給水弁を開弁させるように構成されている。
このように構成された本発明においては、停電による非常時の便器洗浄操作を開始する際に、非常用の手動操作ユニットの表側操作ユニットの表側操作部を壁面の表側に手動で引き出し操作を行うことによりワイヤ操作ユニットのワイヤ部材を介して第２操作レバー部材を操作して、この第２操作レバー部材の先端部により通常時／非常時兼用操作部の第１操作レバー部材を比較的大きな操作量で回転操作することができ、回転軸を介して給水部の給水弁による開弁動作を効率よく操作することができる。したがって、便器本体の後方側の壁面の裏側領域内に隠蔽された貯水タンクであっても、停電による非常時において、貯水タンクから便器本体に洗浄水を供給して確実な便器洗浄を行うことができる。
【０００８】
本発明において、好ましくは、上記排水部は、上記回転軸に連結されて上記貯水タンクの底面に形成された排水口に対して上下動することにより開閉して上記貯水タンク内の洗浄水を上記便器本体に給止水する排水弁を備え、上記通常時／非常時兼用操作部の第１操作レバー部材は、上記回転軸を介して上記排水弁に連結され、上記第２操作レバー部材は、上記停電による非常時の便器洗浄操作を開始する際に、上記表側操作部を上記壁面の表側に手動で引き出し操作を行うことにより上記第１操作レバー部材側に回動して上記第１操作レバー部材に係合する先端部を備えており、この第２操作レバー部材の先端部が上記第１操作レバー部材を回転操作することにより、上記回転軸を介して上記排水弁を引き上げて開弁させるように構成されている。
このように構成された本発明においては、停電による非常時の便器洗浄操作を開始する際に、非常用の手動操作ユニットの表側操作ユニットの表側操作部を壁面の表側に手動で引き出し操作を行うことによりワイヤ操作ユニットのワイヤ部材を介して第２操作レバー部材を操作して、この第２操作レバー部材の先端部により通常時／非常時兼用操作部の第１操作レバー部材を比較的大きな操作量で回転操作することができ、回転軸を介して排水部の排水弁による開弁動作（引き上げ動作）を効率よく操作することができる。したがって、便器本体の後方側の壁面の裏側領域内に隠蔽された貯水タンクであっても、停電による非常時において、貯水タンクから便器本体に洗浄水を供給して確実な便器洗浄を行うことができる。
【０００９】
本発明は、好ましくは、上記第２操作レバー部材は、上記通常時の自動便器洗浄操作が行われている状態の上記第１操作レバー部材と常時干渉しないように上記第１操作レバー部材に隣接して配置されている。
このように構成された本発明においては、非常用の手動操作ユニットの裏側操作ユニットの第２操作レバー部材が、通常時の自動便器洗浄操作が行われている状態の第１操作レバー部材と常時干渉しないように第１操作レバー部材に隣接して配置されていることにより、回転操作時の第１操作レバー部材や回転軸に対して、第２操作レバー部材の干渉による回転の負荷や消耗等を無くすことができる。また、通常時の自動便器洗浄操作が行われる毎に、第２操作レバー部材が第１操作レバー部材に接触したり、第１操作レバー部材の回転と連動したりすることも防ぐことができるため、第２操作レバー部材の使用頻度を停電による非常時に制限することができ、第２操作レバー部材やこれに関与するその他の部品の消耗を防ぐことができる。
【００１０】
本発明は、好ましくは、上記回転軸は、上記給水弁又は上記排水弁に連結される第１回転軸であり、上記裏側操作ユニットは、更に、上記貯水タンクの内側から外側まで貫くように延びて上記第２操作レバー部材の回転軸である第２回転軸を備え、上記第２操作レバー部材は、更に、上記第２回転軸の外側端部に取り付けられる基端部と、上記先端部の近傍に設けられて上記ワイヤ部材の後端部が連結される連結部と、を備え、上記第２操作レバー部材の上記基端部から上記先端部まで形成される上記第１操作レバー部材側の面は、上記通常時の自動便器洗浄操作が行われている状態の上記第１操作レバー部材と常時接触しないように湾曲状に形成されている。
このように構成された本発明においては、ワイヤ部材の後端部が連結される第２操作レバー部材の連結部が、第２操作レバー部材の回転軸である第２回転軸の外側端部に取り付けられた基端部から最大距離に位置する先端部の近傍に設けられているため、非常用の手動操作ユニットの表側操作ユニットの表側操作部を壁面の表側に手動で引き出し操作を行う際に比較的小さな操作力でワイヤ部材を介して第２操作レバー部材の連結部を操作して、第２操作レバー部材を容易に回動操作することができる。したがって、停電による非常時の便器洗浄操作を開始する際に、第２操作レバー部材の操作性を向上させることができ、第１操作レバー部材を効率よく回転操作することができる。また、第２操作レバー部材の基端部から先端部まで形成される第１操作レバー部材側の面が、通常時の自動便器洗浄操作が行われている状態の第１操作レバー部材と常時接触しないように湾曲状に形成されていることにより、回転操作時の第１操作レバー部材や第１回転軸に対して、第２操作レバー部材の干渉による回転の負荷や消耗等を無くすことができる。さらに、通常時の自動便器洗浄操作が行われる毎に、第２操作レバー部材が第１操作レバー部材に接触したり、第１操作レバー部材の回転と連動したりすることを防ぐこともできるため、第２操作レバー部材の使用頻度を停電による非常時に制限することができ、第２操作レバー部材及び第２回転軸や、これらに関与する他の部品の消耗を防ぐことができる。
【００１１】
本発明は、好ましくは、上記裏側操作ユニットは、更に、上記第２回転軸をその回転時の回転方向とは反対方向に付勢する裏側操作用の付勢部材を備え、この裏側操作用の付勢部材は、上記表側操作部を上記壁面の表側に手動で引き出し操作を行う前の状態である待機位置の上記第２操作レバー部材が、上記引き出し操作により第１回転方向に回転して上記第１操作レバー部材を回転操作した後、上記引き出し操作を解除したときに上記第１回転方向とは反対の第２回転方向に回転して上記待機位置に戻るように上記第２回転軸を付勢する。
このように構成された本発明においては、非常用の手動操作ユニットの裏側操作ユニットの第２回転軸をその回転時の回転方向とは反対方向に付勢する裏側操作用の付勢部材により、表側操作ユニットの表側操作部を壁面の表側に手動で引き出し操作を行う前の状態である待機位置の第２操作レバー部材が、表側操作部を壁面の表側に手動で引き出し操作を行うことにより第１回転方向に回転して第１操作レバー部材を回転操作した後、この引き出し操作を解除したときに第１回転方向とは反対の第２回転方向に回転して待機位置に戻るように第２回転軸を付勢することができる。したがって、その後、停電による非常時の便器洗浄操作を繰り返し行うことができる。
【００１２】
本発明は、好ましくは、更に、上記貯水タンクの上部に設けられて、上記第１回転軸、上記電動駆動ユニット、上記第１操作レバー部材、上記第２回転軸、及び上記第２操作レバー部材のそれぞれを上記貯水タンクに対して固定する固定部材を有し、上記第１操作レバー部材は、上記固定部材を上記貯水タンクの側方に貫く上記第１回転軸の外側端部に上記固定部材を介して取り付けられ、上記第２操作レバー部材の上記基端部は、上記固定部材を上記貯水タンクの側方に貫き且つ上記第１回転軸に対して平行に延びる上記第２回転軸の外側端部に上記固定部材を介して取り付けられ、上記固定部材は、上記第１操作レバー部材に対して上記第２操作レバー部材とは反対側に設けられた肩部と、この肩部から上記第１操作レバー部材及び上記第２操作レバー部材のそれぞれと常時干渉しないように上記第１回転軸及び上記第２回転軸の軸方向外側且つ斜め下方に向かって突出して延びる第１アーム部と、上記第１操作レバー部材及び上記第２操作レバー部材と常時干渉しないように上記第１アーム部の下端から上記第１操作レバー部材側に屈曲して延びる第２アーム部と、を備え、この第２アーム部の先端部は、非操作状態の上記第１操作レバー部材の軸方向外側面に隣接する付近に位置し、上記ワイヤ操作ユニットは、更に、上記ワイヤ部材が摺動可能に挿入されるチューブ部材を備え、このチューブ部材は、上記ワイヤ部材の前端部が突出した状態で上記表側操作ユニットに固定される前端部と、上記ワイヤ部材の後端部が突出した状態で上記第２アーム部に固定される後端部と、を備え、上記ワイヤ部材の後端部は、上記第２アーム部に固定された上記チューブ部材の後端部から所定長さ伸ばした状態で上記待機位置の上記第２操作レバー部材の上記連結部に連結され、上記待機位置の上記第２操作レバー部材の上記連結部及び上記ワイヤ部材の後端部は、上記停電による非常時の便器洗浄操作を開始する際に、上記引き出し操作を行う毎に、上記チューブ部材の後端部に近接する最大操作位置まで一定のストローク量で移動可能に上記チューブ部材の後端部に対して所定距離だけ離間して位置決めされている。
このように構成された本発明においては、チューブ部材の後端部が、固定部材の肩部から第１アーム部を経て、この第１アーム部の下端から第１操作レバー部材側に屈曲して延びる第２アーム部に固定されており、ワイヤ部材の後端部が、チューブ部材の後端部から所定長さ伸ばした状態で待機位置の第２操作レバー部材の連結部に連結されている。さらに、待機位置の第２操作レバー部材の連結部及びワイヤ部材の後端部が、停電による非常時の便器洗浄操作を開始する際に、表側操作部を壁面の表側に手動で引き出し操作を行う毎に、チューブ部材の後端部に近接する最大操作位置まで一定のストローク量で移動可能にチューブ部材の後端部に対して所定距離だけ離間して位置決めされているため、ワイヤ部材をチューブ部材に対して一定のストローク量で精度良く移動させることができ、第２操作レバー部材を安定して操作することができる。したがって、停電による非常時の便器洗浄操作を繰り返しても、安定した便器洗浄を実行することができる。
【００１３】
本発明は、好ましくは、上記壁面は、上記貯水タンクよりも前方に設けられた第１壁面であり、上記貯水タンクよりも後方側には、第２壁面が設けられており、更に、上記第１壁面と上記第２壁面との間に設けられて且つ上記貯水タンクの側方側の上方に配置され、上記第１回転軸、上記電動駆動ユニット、及び上記第１操作レバー部材を上記貯水タンクに対して位置決めする第１固定部と、上記第２回転軸及び上記第２操作レバー部材を上記貯水タンクに対して位置決めする第２固定部と、を備えた固定部材を有し、上記第１操作レバー部材は、上記第１固定部を上記貯水タンクの側方に貫く上記第１回転軸の外側端部に上記第１固定部を介して取り付けられ、上記第２操作レバー部材の上記基端部は、上記第２固定部を上記貯水タンクの側方に貫き且つ上記第１回転軸に対して平行に延びる上記第２回転軸の外側端部に上記第２固定部を介して取り付けられ、上記固定部材は、更に、上記第１操作レバー部材に対して上記第２操作レバー部材とは反対側に位置する上記第１壁面又は上記第２壁面に設けられた第３固定部を備え、この第３固定部は、上記第１操作レバー部材及び上記第２操作レバー部材のそれぞれと常時干渉しないように上記第１回転軸及び上記第２回転軸の軸方向外側に位置し、上記第２操作レバー部材とは反対側に位置する上記第１壁面又は上記第２壁面から上記第１操作レバー部材側に延びており、
上記ワイヤ操作ユニットは、更に、上記ワイヤ部材が摺動可能に挿入されるチューブ部材を備え、このチューブ部材は、上記ワイヤ部材の前端部が突出した状態で上記表側操作ユニットに固定される前端部と、上記ワイヤ部材の後端部が突出した状態で上記第３固定部に固定される後端部と、を備え、上記ワイヤ部材の後端部は、上記第３固定部に固定された上記チューブ部材の後端部から所定長さ伸ばした状態で上記待機位置の上記第２操作レバー部材の上記連結部に連結され、上記待機位置の上記第２操作レバー部材の上記連結部及び上記ワイヤ部材の後端部は、上記停電による非常時の便器洗浄操作を開始する際に、上記表側操作部を上記第１壁面の表側に手動で引き出し操作を行う毎に、上記チューブ部材の後端部に近接する最大操作位置まで一定のストローク量で移動可能に上記チューブ部材の後端部に対して所定距離だけ離間して位置決めされている。
このように構成された本発明においては、チューブ部材の後端部が、固定部材の第３固定部に固定されており、ワイヤ部材の後端部が、チューブ部材の後端部から所定長さ伸ばした状態で待機位置の第２操作レバー部材の連結部に連結され、待機位置の第２操作レバー部材の連結部及びワイヤ部材の後端部が、停電による非常時の便器洗浄操作を開始する際に、表側操作部を第１壁面の表側に手動で引き出し操作を行う毎に、チューブ部材の後端部に近接する最大操作位置まで一定のストローク量で移動可能にチューブ部材の後端部に対して所定距離だけ離間して位置決めされているため、ワイヤ部材をチューブ部材に対して一定のストローク量で精度良く移動させることができ、第２操作レバー部材を安定して操作することができる。したがって、停電による非常時の便器洗浄操作を繰り返しても、安定した便器洗浄を確保することができる。
【００１４】
本発明は、好ましくは、上記チューブ部材の後端部は、上記固定部材に取り外し可能に取り付けられ、上記ワイヤ部材の後端部は、上記第２操作レバー部材の上記連結部に取り外し可能に取り付けられている。
このように構成された本発明においては、チューブ部材の後端部が固定部材に取り外し可能に取り付けられ、ワイヤ部材の後端部が第２操作レバー部材の連結部に取り外し可能に取り付けられているため、例えば、ワイヤ部材の後端部を第２操作レバー部材の連結部から取り外すと共に、チューブ部材の後端部を固定部材から取り外すことにより、これらのチューブ部材やワイヤ部材を含むワイヤ操作ユニットや表側操作ユニット、並びに、貯水タンク側の関連要素について、保守点検や交換等のメンテナンスを容易に独立して行うことができる。
【００１５】
本発明は、好ましくは、上記表側操作ユニットは、上記壁面に取り付けられて、上記壁面の表側から上記壁面の裏側領域内に向かって筒状に形成されるケース本体部を備え、このケース本体部の後端部には、上記チューブ部材の前端部が固定され、上記表側操作部は、上記ワイヤ部材の前端部が連結されて使用者が把持可能に上記ケース本体部の内部に設けられた環状部材を備え、この環状部材は、使用者が把持した状態で上記ケース本体部に対して上記壁面の表側に手動で引き出し操作が可能である。
このように構成された本発明においては、表側操作ユニットが、壁面に取り付けられて、この壁面の表側から壁面の裏側領域内に向かって筒状に形成されるケース本体部を備えており、このケース本体部の後端部には、チューブ部材の前端部が固定され、表側操作ユニットの表側操作部が、ワイヤ部材の前端部が連結されて使用者が把持可能にケース本体部の内部に設けられた環状部材を備えていることにより、使用者は、停電による非常時の便器洗浄操作を開始する際には、環状部材を容易に把持することができ、この環状部材を把持した状態でケース本体部に対して壁面の表側に手動で引き出し操作が容易になる。したがって、環状部材を把持して表側操作ユニットのケース本体部に対して手動で引き出す簡易な操作により、停電による非常時の便器洗浄操作を容易に行うことができ、確実な便器洗浄を行うことができる。
【００１６】
本発明は、好ましくは、上記表側操作ユニットは、更に、上記ケース本体部の表側に形成される開口部を表側から覆うように着脱可能に取り付けられる蓋部材と、上記環状部材及び上記ワイヤ部材以外の上記ケース本体部の内部と上記蓋部材とを接続して上記蓋部材を取り外した状態で上記蓋部材が上記ケース本体部から脱落することを防ぐ抜け止め部材と、を備えている。
このように構成された本発明においては、表側操作ユニットの蓋部材が、ケース本体部の表側に形成される開口部を表側から覆うように着脱可能に取り付けられているため、停電による非常時の便器洗浄操作を行わないときには、ケース本体部の表側の開口部を覆うように蓋部材を取り付けることにより、表側操作ユニットのケース本体部内に環状部材を収納して隠蔽することができる。一方、停電による非常時の便器洗浄操作を行うときには、蓋部材を適宜表側操作ユニットのケース本体部から取り外すことによりケース本体部内の環状部材にアクセスして手動操作を行うことができる。また、停電による非常時の便器洗浄操作を行わない状況において、蓋部材が表側操作ユニットのケース本体部の表側の開口部に取り付けられて、環状部材がケース本体部内に収納されて隠蔽されることにより、表側操作ユニットのケース本体部内の環状部材が不用意に操作されたり、悪戯されたりすることを防ぐことができる。さらに、環状部材及びワイヤ部材以外の表側操作ユニットのケース本体部の内部と蓋部材とを接続する抜け止め部材により、蓋部材を取り外した状態で蓋部材がケース本体部から脱落することを防ぐことができるため、蓋部材の紛失や盗難を防ぐことができる。
【００１７】
本発明は、好ましくは、上記ケース本体部は、上記環状部材を収納する第１ケース本体部と、この第１ケース本体部の後端側に設けられた第２ケース本体部と、を備え、上記表側操作ユニットは、更に、上記第２ケース本体部内に設けられた表側操作用の付勢部材と、上記第２ケース本体部内に摺動可能に設けられて上記表側操作用の付勢部材を保持する保持部材と、を備えており、上記環状部材を上記壁面の表側に手動で引き出し操作を行うことにより、上記保持部材が上記ワイヤ部材の移動と共に摺動して上記表側操作用の付勢部材を付勢し、その後、上記引き出し操作を解除すると、上記表側操作用の付勢部材の付勢力により上記保持部材が元の位置に移動して上記環状部材が上記第１ケース本体部内に収納されるように構成されている。
このように構成された本発明においては、表側操作ユニットのケース本体部が、環状部材を収納する第１ケース本体部と、この第１ケース本体部の後端側に設けられた第２ケース本体部とを備えており、表側操作ユニットが、第２ケース本体部内に設けられた表側操作用の付勢部材と、第２ケース本体部内に摺動可能に設けられて表側操作用の付勢部材を保持する保持部材とを備えているため、環状部材を壁面の表側に手動で引き出し操作を行うことにより、保持部材がワイヤ部材の移動と共に摺動して表側操作用の付勢部材を付勢し、その後、引き出し操作を解除すると、表側操作用の付勢部材の付勢力により保持部材が元の位置に移動して環状部材を第１ケース本体部内に収納することができる。したがって、停電による非常時の便器洗浄操作を繰り返し行うことができる。
【００１８】
本発明は、好ましくは、上記非常用の手動操作ユニットは、上記貯水タンクの仕様に関わらず上記貯水タンクに適用可能である。
このように構成された本発明においては、非常用の手動操作ユニットが貯水タンクの仕様に関わらず貯水タンクに適用可能であるため、あらゆる仕様の貯水タンクにおいても非常時の便器洗浄操作を行うことができる汎用性の高い非常用の手動操作ユニットを提供することができる。
【発明の効果】
【００１９】
本発明の洗浄水タンク装置によれば、停電による非常時の便器洗浄操作を開始する際に、便器本体の後方側の壁面の裏側領域内に隠蔽された貯水タンク内の給水部による給水動作又は排水部による排水動作を容易に手動操作することができる。
【図面の簡単な説明】
【００２０】
【図１】本発明の第１実施形態による洗浄水タンク装置、及び、この洗浄水タンク装置が適用される水洗大便器を示す正面図である。
【図２】本発明の第１実施形態による洗浄水タンク装置、及び、この洗浄水タンク装置が適用される水洗大便器を示す左側面図である。
【図３】本発明の第１実施形態による洗浄水タンク装置の貯水タンクの内部構造を示す概念図である。
【図４】本発明の第１実施形態による洗浄水タンク装置の貯水タンクの内部構造を示す平面図である。
【図５】本発明の第１実施形態による洗浄水タンク装置の貯水タンクの内部構造を示す正面図である。
【図６】図４のＶＩ−ＶＩ線に沿って見た断面図であり、本発明の第１実施形態による洗浄水タンク装置における給水装置のポペット弁の部分を拡大した部分拡大断面図であり、閉弁状態のポペット弁を示す。
【図７】本発明の第１実施形態による洗浄水タンク装置における給水装置の閉弁状態のポペット部分を拡大した図６と同様な部分拡大断面図である。
【図８】本発明の第１実施形態による洗浄水タンク装置において、貯水タンクにおける左側面の上方部分を拡大した部分拡大図であり、便器洗浄操作が開始される前の待機状態を示す。
【図９】本発明の第１実施形態による洗浄水タンク装置における非操作状態の非常用の手動操作ユニットの表側操作ユニット及びワイヤユニットの中央断面図である。
【図１０】本発明の第１実施形態による洗浄水タンク装置における操作状態の非常用の手動操作ユニットの表側操作ユニット及びワイヤユニットの中央断面図である。
【図１１】本発明の第１実施形態による洗浄水タンク装置における非常用の手動操作ユニットの裏側操作部の分解斜視図である。
【図１２】本発明の第１実施形態による洗浄水タンク装置において、貯水タンクにおける左側面の上方部分を拡大した図８と同様な部分拡大図であり、非常時の便器洗浄操作を開始した状態の通常時／非常時兼用の操作レバー部材及び非常用の操作レバー部材をそれぞれ示す。
【図１３】本発明の第２実施形態による洗浄水タンク装置、及び、この洗浄水タンク装置が適用される水洗大便器の部分右側側面図である。
【図１４】図１３に示す本発明の第２実施形態による洗浄水タンク装置について、水洗大便器の後方側のキャビネットの天板を取り外した状態で貯水タンクの部分を上方から見た部分拡大平面図である。
【図１５】本発明の第２実施形態による洗浄水タンク装置の貯水タンクの内部構造を示す正面中央断面図である。
【図１６】本発明の第２実施形態による洗浄水タンク装置において、貯水タンクにおける右側面の上方部分を拡大した部分拡大図であり、非常時の便器洗浄操作を開始した状態の通常時／非常時兼用の操作レバー部材及び非常用の操作レバー部材をそれぞれ示す。
【図１７】図１５のＸＶＩＩ−ＸＶＩＩ線に沿って見た断面図であり、本発明の第２実施形態による洗浄水タンク装置の非常時の便器洗浄操作を開始した状態を示す。
【発明を実施するための形態】
【００２１】
以下、添付図面を参照して、本発明の第１実施形態による洗浄水タンク装置について説明する。
まず、図１及び図２により、本発明の第１実施形態による洗浄水タンク装置、及び、この洗浄水タンク装置が適用される水洗大便器の概略について説明する。
図１は、本発明の第１実施形態による洗浄水タンク装置、及び、この洗浄水タンク装置が適用される水洗大便器を示す正面図であり、図２は、本発明の第１実施形態による洗浄水タンク装置、及び、この洗浄水タンク装置が適用される水洗大便器を示す左側面図である。
【００２２】
図１及び図２に示すように、本発明の第１実施形態による洗浄水タンク装置１が適用される水洗大便器２の後方側には、キャビネット４が設けられている。このキャビネット４の内部、すなわち、後方側のトイレ室壁面Ｗとキャビネット４の表側壁面４ａとの間のスペース（キャビネット４の内部スペースＩ）内には、支持構造物６が床面Ｆに固定されており、この支持構造物６に対して水洗大便器２の便器本体８の後方側が固定され、この便器本体８が設置場所の床面Ｆよりも上方に配置されている。すなわち、水洗大便器２は、その便器本体８の後方側がキャビネット４に固定された、いわゆる、壁掛け式の水洗大便器である。
なお、本実施形態の洗浄水タンク装置１においては、上述した壁掛け式の水洗大便器２に適用した形態について説明するが、このような壁掛け式の水洗大便器２に限られず、便器本体がその設置場所の床面Ｆに固定された、いわゆる、床置き式の水洗大便器に適用してもよい。
また、水洗大便器２では、その便器本体８内のほぼ中央に形成されるボウル部（図示せず）の高さ方向の落差によりボウル部（図示せず）内の汚物について、ボウル部（図示せず）の下部から後方側に延びる便器本体８のトラップ排水路（図示せず）からキャビネット４内の排水管１０に排出する、いわゆる、洗い落とし式の水洗大便器であってもよいし、サイホン作用を利用してボウル部（図示せず）内の汚物を吸い込んでトラップ排水路（図示せず）からキャビネット４内の排水管１０に外部に排出する、いわゆる、サイホン式便器の形態等、他の水洗大便器の形態についても適用可能である。
さらに、図２に示すように、キャビネット４の内部スペースＩ内には、下水管（図示せず）接続される排水配管１０以外にも、上流側が水道管等の給水源（図示せず）に接続される給水管１２や通気管１４、並びに、雑排水用の配管１６等の複数の配管が配置されている。
【００２３】
つぎに、図１〜図１２により、本実施形態の洗浄水タンク装置１の詳細について説明する。
まず、図１及び図２に示すように、本実施形態の洗浄水タンク装置１は、便器本体８に供給する洗浄水を貯水する貯水タンク１８を備えており、この貯水タンク１８は、便器本体８の後方側に設けられたキャビネット４の表側壁面４ａの裏側領域内であるキャビネット４の内部スペースＩ内に隠蔽されるように配置されている。
より具体的に説明すると、図１及び図２に示すように、支持構造体６の正面から見て左右両側の側面の取付部６ａのそれぞれには、貯水タンク１８の底部を支持するためのタンク支持部材２０の下端部２０ａがそれぞれ固定されている。このタンク支持部材２０は、各下端部２０ａから支持構造体６の取付部６ａの後方側に突出した後、所定高さまで上方に立ち上がる縦部２０ｂと、それぞれの水平左右方向に対向する縦部２０ｂの上端同士を互いに水平左右方向に延びて接続する横部２０ｃとを備えており、これらの縦部２０ｂ及び横部２０ｃにより全体がコの字のフレーム状に形成されている。これにより、貯水タンク１８は、キャビネット４の内部スペースＩ内において、便器本体８の上面の高さ位置に対して所定距離上方に離間した高さ位置に配置されるようになっている。
【００２４】
つぎに、図３は、本発明の第１実施形態による洗浄水タンク装置の貯水タンクの内部構造を示す概念図である。また、図４は、本発明の第１実施形態による洗浄水タンク装置の貯水タンクの内部構造を示す平面図である。さらに、図５は、本発明の第１実施形態による洗浄水タンク装置の貯水タンクの内部構造を示す正面図である。
なお、図３において、便宜上、図４及び図５に示す洗浄水タンク装置のジェットポンプユニットの内部構造の一部を省略すると共に、各構造のいくつかの配置についても、図４及び図５に示されたものと異なる配置に描かれている。
【００２５】
図１〜図５に示すように、洗浄水タンク装置１は、水道管等の給水源（図示せず）に接続される給水管１２（図２参照）から供給される洗浄水を貯水タンク１８に供給する給水管２２（一次側の給水管２２ａ）を備えている（図３及び図５参照）。
つぎに、洗浄水タンク装置１は、給水管２２ａの上端（下流側端部）に接続されて給水管２２ａから供給される洗浄水を給止水する給水弁装置２４を含むジェットポンプユニット２６を備えている。
また、洗浄水タンク装置１は、通常時の自動便器洗浄操作を開始する際に、リモコン（図示せず）等によって使用者側から送信された信号、或いは、便器本体８の一部に設けられた人感センサ（図示せず）が使用者を検知した信号に基づいて、給水弁装置２４による給水動作を自動（電動）で操作する自動便器洗浄ユニット２８（詳細は後述する）を備えている。
さらに、洗浄水タンク装置１は、自動便器洗浄ユニット２８が停電や不具合等によって作動できなくなった非常時において、便器洗浄操作をキャビネット４の表側から手動で操作可能にする非常用の手動操作ユニット３０（詳細は後述する）を備えている。
【００２６】
また、ジェットポンプユニット２６は、従来のものと同様のものであり、給水弁装置２４から給水された給水が流れる給水管２２（二次側の給水管２２ｂ）と、この給水管２２ｂの下流側に配置されるスロート管３２と、給水管２２ｂの下流側端部に接続されてスロート管３２に向けて洗浄水を噴射してジェットポンプ作用を誘発させるジェットノズル３４とを備えている。
さらに、ジェットポンプユニット２６は、ジェットノズル３４から噴射される洗浄水が進行する流路方向をスロート管３２の内部方向に差し向ける流路からスロート管３２の外部方向に差し向ける流路に切り替える流路切替弁３６ａと、貯水タンク１８内に貯水された洗浄水の水位に応じて上下動することにより流路切替弁３６ａを作動させるフロート３６ｂとを備えた流路切替弁装置３６を備えている。
【００２７】
また、図３に示すように、ジェットポンプユニット２６のスロート管３２は、従来のものと同様のものであり、下方から斜め上方に延びる上昇管部３２ａと、この上昇管部３２ａの上端付近から下方に延びる下降管部３２ｂとを備えており、概ね逆Ｖ字形状に形成されている。
さらに、スロート管３２の上昇管部３２ａの上流側端部（入口部）には、吸引口３２ｃが形成されており、この吸引口３２ｃは、貯水タンク１８内の下部に位置するようになっている。
また、スロート管３２の下降管部３２ｂの出口部は、貯水タンク１８の底面に形成された排水口１８ａに接続され、この排水口１８ａ（図３参照）は、便器本体８の導水路（図示せず）と接続されている排水管３７（図２及び図５参照）に接続されている。
さらに、図３に示すように、スロート管３２の吸引口３２ｃに対向するように、ジェットノズル３４が配置され、スロート管３２の吸引口３２ｃとジェットノズル３４は、常時、貯水タンク１８内で水没した状態となっている。
【００２８】
つぎに、図３に示すように、一次側の給水管２２ａと給水弁装置２４との間には、給水弁装置２４に供給される洗浄水を定流量にする定流量弁３８が設けられている。
また、二次側の給水管２２ｂと給水弁装置２４との間には、真空破壊弁４０が設けられており、この真空破壊弁４０は、外部から空気を吸入することにより、ジェットノズル３４までの給水管２２ｂの流路内が負圧にならないようにするためのものである。
さらに、給水弁装置２４は、図３に示すように、パイロット式ダイアフラム弁である主弁体４２と、この主弁体４２が着座する主弁座４４と、内部の圧力により主弁体４２を主弁座４４に対して移動させる圧力室４６とを備えており、主弁体４２が、主弁座４４に着座して止水する止水状態と主弁座４４から離間して給水する給水状態とを切り換えるようになっている。
【００２９】
図３に示すように、圧力室４６には、この圧力室４６の圧力を開放する第一穴４８及び第二穴５０と、上述した自動便器洗浄ユニット２６における自動操作と連動して第一穴４８を開閉するポペット弁５２と、貯水タンク１８内の洗浄水の水位に伴い上下動する給水フロート５４と、この給水フロート５４の上下動により第二穴５０を開閉するパイロット弁５６とが設けられている。
また、図３に示すように、主弁体４２には、ブリード穴（図示せず）が設けられており、止水状態のとき、このブリード穴（図示せず）により給水管２２ａの一次側流路Ａと圧力室４６の内部とが連通するようになっている。ここで、第一穴４８は、その開口面積が第二穴５０の開口面積よりも大きく形成されている。また、第一穴４８は、第二穴５０よりも、上方位置に形成されている。
【００３０】
つぎに、図３〜図８を参照して、自動便器洗浄ユニット２８の詳細について説明する。
図６は、図４のＶＩ−ＶＩ線に沿って見た断面図であり、本発明の第１実施形態による洗浄水タンク装置における給水装置のポペット弁の部分を拡大した部分拡大断面図であり、閉弁状態のポペット弁を示す。
まず、図３〜図６に示すように、自動便器洗浄ユニット２８は、従来のものと同様のものであり、貯水タンク１８の内側から外側まで貫くように延びる駆動回転軸５８と、この駆動回転軸５８に対して軸方向に連結される中間回転軸６０と、この中間回転軸６０と給水弁装置２４のポペット弁５２とを連結する従動回転軸６２とを備えている。
また、自動便器洗浄ユニット２８は、駆動回転軸５８を電動駆動するギヤモータ（図示せず）等が内蔵されている電動駆動ユニット６４を備えている。この電動駆動ユニット６４は、通常時の自動便器洗浄操作を開始する際に、使用者側から送信された信号、或いは、使用者を検知した信号に基づいて駆動回転軸５８を回転駆動させることにより、中間回転軸６０を介して従動回転軸６２が回転し、給水弁装置２４のポペット弁５２の開閉動作が操作されるようになっている。
【００３１】
ちなみに、図６に示すように、給水弁装置２４のポペット弁５２は、従来のものと同様のものであり、第一穴４８を開閉する弁体５２ａと、この弁体５２ａを保持する本体部５２ｂとを備えている。また、給水弁装置２４は、弁体５２ａが第一穴４８を閉鎖する方向に本体部５２ｂを軸方向に付勢する圧縮コイルばね６６を備えている。
さらに、図６に示すように、ポペット弁５２の弁体５２ａが第一穴４８を閉鎖している状態では、圧縮コイルばね６６の付勢力により押圧された本体部５２ｂの先端部が、従動回転軸６２の最も外側の外周面６２ａよりも半径方向内側に形成される外周面６２ｂに当接するようになっている。
【００３２】
一方、図７は、本発明の第１実施形態による洗浄水タンク装置における給水装置の閉弁状態のポペット部分を拡大した図６と同様な部分拡大断面図である。
図７に示すように、ポペット弁５２の弁体５２ａが第一穴４８を開放している状態では、図６に示すポペット弁５２の弁体５２ａが第一穴４８を閉鎖している状態の待機位置Ｐ１の従動回転軸６２に対して、従動回転軸６２が所定回転角度（例えば、４５度〜６０度）回転した最大操作位置Ｐ２（図７参照）となっている。このとき、従動回転軸６２の最も外側の外周面６２ａは、ポペット弁５２の本体部５２ｂの先端部を圧縮コイルばね６６の付勢力に抗して押圧し、これにより、弁体５２ａが第一穴４８を開放するように軸方向に移動して、圧力室４６の圧力が開放されるようになっている。
【００３３】
つぎに、図３に示すように、給水弁装置２４は、止水状態では、第一穴４８及び第二穴５０は共に塞がれており、且つ、給水管２２ａの一次側流路Ａは圧力室４６とブリード穴（図示せず）を通じて連通しているため、一次側流路Ａと圧力室４６の水圧は同一の水圧（一次側流路圧力α）となる。
また、二次側流路Ｂは大気開放され、主弁体４２に水圧が作用する面積の方が一次側流路Ａの面積よりも大きくなるため、主弁体４２は主弁座４４に押付けられて閉弁するようになっている。
【００３４】
さらに、図３に示すように、給水弁装置２４において、第一穴４８及び/又は第二穴５０が、ポペット弁５２及び/又はパイロット弁５６により開放されると、圧力室４６から洗浄水が流出し、圧力室４６内の圧力が低下し、主弁体４２が主弁座４４から離れるように移動し、開弁し、吐水状態となるようになっている。
【００３５】
つぎに、図３に示すように、給水弁装置２４において、第一穴４８及び第二穴５０がポペット弁５２及びパイロット弁５６により閉じられると、再度圧力室４６の圧力が一次側流路圧力αとなり、主弁体４２が主弁座４４に向けて移動し、最終的に閉弁された状態（止水状態）となる。
なお、このとき、一次側流路Ａの洗浄水が、圧力室４６内へブリード穴から少しずつ注入されるため、第一穴４８及び第二穴５０を塞いでから、所定時間遅れて、主弁体４２が閉弁状態（止水状態）となるようになっている。
【００３６】
つぎに、図８は、本発明の第１実施形態による洗浄水タンク装置において、貯水タンクにおける左側面の上方部分を拡大した部分拡大図であり、便器洗浄操作が開始される前の待機状態を示す。
図４、図５及び図８に示すように、貯水タンク１８の上部には、自動便器洗浄ユニット２８の電動駆動ユニット６４を貯水タンク１８に対して固定する固定部材６８が設けられている。
また、自動便器洗浄ユニット２８の駆動回転軸５８の外側端部には、電動駆動ユニット６４及び固定部材６８を介して、通常時／非常時兼用の操作レバー部材７０が取り付けられている。
この通常時／非常時兼用の操作レバー部材７０は、キャビネット４の内部スペースＩ内で操作可能であり、この操作レバー部材７０は、自動便器洗浄ユニット２８による通常時の自動便器洗浄操作を開始する際には、電動駆動ユニット６４の電動駆動により駆動回転軸５８と共に回転する通常時の回転操作が行われるようになっている。
一方、通常時／非常時兼用の操作レバー部材７０は、停電による非常時の便器洗浄操作を開始する際には、詳細は後述する非常用の手動操作ユニット３０の手動操作により回転し、電動駆動ユニット６４に関わることなく駆動回転軸５８を手動で回転操作が可能となる、通常時／非常時兼用操作部として機能するようになっている。
【００３７】
ちなみに、図８に示すように、自動便器洗浄ユニット２８による通常時の自動便器洗浄操作を開始する際に、使用者側から送信された信号、或いは、使用者を検知した信号に基づいて電動駆動ユニット６４が駆動回転軸５８を回転駆動することにより、操作レバー部材７０が図８に示す回転方向Ｃ１（貯水タンク１８の奥側）に所定回転角度（例えば、（例えば、４５度〜６０度）回転操作された場合には、大洗浄モードによる便器洗浄が開始され、操作レバー部材７０が図８に示す回転方向Ｃ２（貯水タンク１８の手前側）に所定回転角度（例えば、４５度〜６０度）回転操作された場合には、小洗浄モードによる便器洗浄が開始されるようになっている。
なお、図８においては、非操作状態（待機状態）の操作レバー部材７０を実線で示し、大洗浄モード操作状態の操作レバー部材７０Ａ及び小洗浄モード操作状態の操作レバー部材７０Ｂのそれぞれについて鎖線で示している。
【００３８】
便器洗浄が開始されると、ジェットポンプユニット２６は、ジェットノズル３４からスロート管３２の吸引口３２ｃに向けて高速の洗浄水を噴射するようになっている。このとき、ジェットノズル３４に近いスロート管３２内の吸引口３２ｃ近傍の空間が負圧となり、この負圧によりジェットポンプ作用（エジェクタ効果）を誘発させることにより、貯水タンク１８内の近傍の洗浄水を吸引し、この洗浄水とジェットノズル３４から噴出される洗浄水とが一緒になり、スロート管３２内を流れ、排水口１８ａを経て、便器本体８の導水路（図示せず）に供給されるようになっている。
【００３９】
また、ジェットポンプユニット２６の二次側の給水管２２ｂの途中には、ジェットノズル３４を経由せずに便器本体８へ洗浄水を供給する補給水用の分岐管７２が接続されている。この分岐管７２の下流側端部は、スロート管３２の下降管部３２ｂに隣接して設けられて上下方向に延びるオーバーフロー管７４に接続されている。このオーバーフロー管７４の下流側は、貯水タンク１８の排水口１８ａを経て便器本体８の導水路（図示せず）と連通している。
なお、本明細書中に記載されている「ジェットポンプ作用」という用語については、ジェットノズルからスロート管の吸引口に向けて噴射される勢いのある洗浄水の流れ自体が、ポンプ等の他の機械要素に依存することなく、直接的にスロート管の吸引口の近傍等の周囲の洗浄水を引き込むような負圧を形成し、この負圧を利用してスロート管内に吸い込んだ貯水タンク内の洗浄水を便器本体側へ圧送する作用を意味している。
【００４０】
つぎに、図３に示すように、貯水タンク１８内には、大洗浄及び小洗浄に必要な洗浄水量を切り換えるための大小洗浄切替機構７６が設けられている。この大小洗浄切替機構７６は、貯水タンク１８内をジェットノズル３４及びスロート管３２の吸引口３２ｃを取り囲む外側空間領域Ｒ１と、この外側空間領域Ｒ１よりも空間が小さい小空間領域Ｒ２との二つの空間領域Ｒ１，Ｒ２に区画する区画壁７８を備えている。
より具体的に説明すると、この区画壁７８は、上下方向に延びる壁面を形成し、その上方が開放されて前後方向及び左右方向の四方から取り囲んだカップ形状の小タンク８０を形成している。
【００４１】
また、図３及び図４に示すように、小タンク８０の前方側の区画壁（前側区画壁）８０ａには、前後方向に貫くようにほぼ左右方向に長い長方形形状の開口部８２が形成されている。
さらに、大小洗浄切替機構７６は、この開口部８２に開閉可能に設けられた大小切替弁８４を備えており、この大小切替弁８４が開口部８２を開閉することにより、ジェットポンプユニット２６を通じて便器本体８へ供給する洗浄水量を変更することができ、大洗浄モードと小洗浄モードとを切り替えることができるようになっている。
【００４２】
図３に示すように、大小洗浄切替機構７６の大小切替弁８４は、玉鎖８６により従動回転軸６２に接続されている。使用者側から送信された信号、或いは、使用者を検知した信号に基づいて電動駆動ユニット６４が駆動回転軸５８を回転駆動することにより、操作レバー部材７０が図８に示す回転方向Ｃ１（貯水タンク１８の奥側）に回転操作され、大洗浄モードによる便器洗浄が開始された場合には、従動回転軸６２が回転しても、玉鎖８６はたるむだけで、大小切替弁８４は開いた状態のままとなるようになっている。
一方、操作レバー部材７０が図８に示す回転方向Ｃ２（貯水タンク１８の手前側）に回転操作され、小洗浄モードによる便器洗浄が開始された場合には、玉鎖８６により大小切替弁８４が引き上げられ、大小切替弁８４が開口部８２を閉じた状態となるようになっている。
【００４３】
ここで、図３に示すように、貯水タンク１８内の水位ＷＬについては、大洗浄が終了したときの貯水タンク１８内の領域Ｒ１，Ｒ２の双方の最低水位（死水水位）ＷＬ１を示している。
また、図３に示すように、水位ＷＬ１は、小洗浄が終了したときの貯水タンク１８内の領域Ｒ１のみの最低水位（死水水位）ＤＷＬにもなっており、これらの最低水位（死水水位）ＤＷＬである水位ＷＬ１は、区画壁７８の開口部８２の上端よりも下方に位置している。
さらに、図３に示すように、水位ＷＬ２は、小洗浄が終了したときの貯水タンク１８内の領域Ｒ２の水位を示している。
また、水位ＷＬ３は、貯水タンク１８内に貯水される洗浄水の初期状態における止水水位であり、且つ大洗浄又は小洗浄後に給水弁装置２４により貯水タンク１８内に洗浄水が給水されその後給水が停止される満水水位である。
【００４４】
つぎに、図１〜図１２を参照して、非常用の手動操作ユニット３０の詳細について説明する。
まず、図１及び図２に示すように、非常用の手動操作ユニット３０は、キャビネット４の表側壁面４ａに設けられて手動により壁面４ａの表側に引き出し操作が可能な表側操作ユニット３０Ａを備えている。
また、図１及び図２に示すように、非常用の手動操作ユニット３０は、キャビネット４の内部スペースＩ内の通常時／非常時兼用の操作レバー部材７０に隣接して設けられた裏側操作ユニット３０Ｂを備えている。
さらに、図１及び図２に示すように、非常用の手動操作ユニット３０は、これらの表側操作ユニットＵ１と裏側操作ユニット３０Ｂとを連結するワイヤ操作ユニット３０Ｃを備えている。
【００４５】
つぎに、図９は、本発明の第１実施形態による洗浄水タンク装置における非操作状態の非常用の手動操作ユニットの表側操作ユニット及びワイヤ操作ユニットの中央断面図であり、図１０は、本発明の第１実施形態による洗浄水タンク装置における操作状態の非常用の手動操作ユニットの表側操作ユニット及びワイヤユニットの中央断面図である。
まず、図９に示すように、非操作状態（待機位置Ｐ１）の非常用の手動操作ユニット３０の表側操作ユニット３０Ａは、キャビネット４の前壁部４ｂを貫く取付穴４ｃに挿入されて取り付けられて表側壁面４ａからキャビネット４の内部スペースＩ内に向かってほぼ筒状に形成される第１ケース本体部８８と、この第１ケース本体部８８の後端部に接続された細長い筒状の第２ケース本体部９０とを備えている。第１ケース本体部８８の外周面には、ねじ溝８８ａが形成されており、キャビネット４の内部スペースＩ内で締結部材９１がねじ溝８８ａに螺合されて、第１ケース本体部８８がキャビネット４の前壁部４ｂに対して固定されている。
また、図９に示すように、非常用の手動操作ユニット３０のワイヤ操作ユニット３０Ｃは、表側操作ユニット３０Ａの第２ケース本体部９０の後端部に一端が固定されるチューブ部材９２と、このチューブ部材９４の中に挿入された状態でチューブ部材９４に対して摺動可能なワイヤ部材９４とを備えている。
さらに、図９に示すように、表側操作ユニット３０Ａは、使用者が把持可能に第１ケース本体部８８の内部に設けられた環状部材であるリング９６を備えている。
ここで、図９に示す非操作状態の非常用の手動操作ユニット３０においては、ワイヤ部材９４の前端部９４ａが、第２ケース本体部９０の後端部に固定されたチューブ部材９２の前端部９２ａから前方側に延びて第２ケース本体部９０ａを通過し、第１ケース本体部８８内でリング９６に連結されている。
【００４６】
つぎに、図９に示すように、表側操作ユニット３０Ａは、第１ケース本体部８８の表側に形成される開口部８８ｂを表側から覆うように着脱可能に取り付けられる蓋部材であるキャップ９８を備えている。
また、表側操作ユニット３０Ａは、第１ケース本体部８８の裏側面に前後方向に貫くように形成された貫通穴８８ｃに挿通可能に取り付けられたワイヤ部材１００を備えている。このワイヤ部材１００の前端部１００ａは、キャップ９８の裏側面の中央部にビス１０１等によって固定されている。
図１０に示すように、取り外した状態のキャップ９８を手前側に最大に引き出すと、ワイヤ部材１００の突起状の後端部１００ｂが、第１ケース本体部８８の背面に当接し、穴径の小さい貫通穴８８ｃを通過することができないようになっている。したがって、このワイヤ部材１００は、取り外した状態のキャップ９８が第１ケース本体部８８から脱落することを防ぐ抜け止め部材として機能するようになっている。
【００４７】
さらに、図９に示すように、表側操作ユニット３０Ａの第２ケース本体部９０内には、圧縮コイルばね１０２が同一中心軸上に設けられており、この圧縮コイルばね１０２の後端部は、第２ケース本体部９０内に軸方向に摺動可能に設けられた保持部材１０４によって保持されている。この保持部材１０４の前端部には、圧縮コイルばね１０２の内側領域内に向かって凹んだ凹部１０４ａが形成されている。
また、保持部材１０４の凹部１０４ａ内付近に位置するワイヤ部材９４の途中部分には、突起部９４ｂが設けられている。
一方、図１０に示すように、操作状態（操作位置Ｐ２）の非常用の手動操作ユニット３０においては、キャップ９８を取り外した状態でリング９６を手前側にストローク量Ｓ（例えば、Ｓ＝４０ｍｍ〜６０ｍｍ）で最大操作位置Ｐ２まで引き出す操作を行うことによりワイヤ部材９４が前方側に移動すると、ワイヤ部材９４の突起部９４ｂが保持部材１０４の凹部１０４ａを前方側に押圧し、保持部材１０４が前方側に移動して、圧縮コイルばね１０２が圧縮されて付勢されるようになっている。そして、リング９６を手前側に引き出す操作を解除すると、圧縮された状態の圧縮コイルばね１０２が保持部材１０４を後方側へ押圧する方向の付勢力（復元力）により、保持部材１０４が引き出し操作前の元の位置に戻ると共にワイヤ部材９４が後方側に移動して、図９に示すように、リング９６が第１ケース本体部８８内に収納されるようになっている。
【００４８】
つぎに、図１１は、本発明の第１実施形態による洗浄水タンク装置における非常用の手動操作ユニットの裏側操作ユニットの分解斜視図である。
図４、図５、図８及び図１１に示すように、非常用の手動操作ユニット３０の裏側操作ユニット３０Ｂは、貯水タンク１８の内側から外側まで貫くように延びる回転軸であるスピンドル１０６と、このスピンドル１０６の軸方向の外側端部１０６ａに取り付けられる非常用の操作レバー部材１０８とを備えている。
また、図１１に示すように、裏側操作ユニット３０Ｂは、スピンドル１０６の軸方向の中間部１０６ｂを回転可能に保持するガイド部材１１０を備えており、このガイド部材１１０とスピンドル１０６の軸方向の中間部１０６ｂとの間には、ねじりコイルばね１１２が内蔵されている。このねじりコイルばね１１２は、回転時のスピンドル１０６について、その回転方向とは反対方向に付勢するようになっている。
さらに、図１１に示すように、裏側操作ユニット３０Ｂは、スピンドル１０６の軸方向の中間部１０６ｂの軸方向の内側からガイド部材１１０に螺合されて締結されるナット１１４と、ガイド部材１１０の軸方向の外側端部１１０ａが挿入されるワッシャ１１６とを備えている。
また、図８及び図１１に示すように、裏側操作ユニット３０Ｂは、スピンドル１０６の軸方向の外側端部１０６ａ及びガイド部材１１０の軸方向の外側端部１１０ａが挿入された状態のワッシャ１１６が固定部材６８の取付穴６８ａに嵌め込まれた状態で、ガイド部材１１０の軸方向の外側端部１１０ａの外側に螺合されて締結されるナット１１８と、スピンドル１０６の軸方向の外側端部１０６ａに非常用の操作レバー部材１０８の基端部１０８ａを締結するビス１２０とを備えている。
これらにより、裏側操作ユニット３０Ｂの全体が固定部材６８によって貯水タンク１８に対して固定されている。
【００４９】
つぎに、図８に示すように、非操作状態の非常用の操作レバー部材１０８は、非操作状態（待機状態）の操作レバー部材７０、並びに、通常時の自動便器洗浄操作が行われている大洗浄モード操作状態の操作レバー部材７０Ａ及び小洗浄モード操作状態の操作レバー部材７０Ｂと常時干渉しないように、操作レバー部材７０に隣接して配置されている。
また、図４、図５、図８及び図１１に示すように、非常用の操作レバー部材１０８は、その基端部１０８ａから最大距離に位置し且つ非操作状態で下端に位置する先端部１０８ｂと、この先端部１０８ｂの近傍に設けられてワイヤ部材９４の後端部９４ｃ（図８及び図９参照）が連結される連結部１０８ｃとを備えている。
さらに、図８に示すように、非常用の操作レバー部材１０８の連結部１０８ｃには、ワイヤ部材９４の後端部９４ｃを取り外し可能にする切欠き溝１０８ｄが形成されている。この切欠き溝１０８ｄは、待機位置Ｐ１の操作レバー部材１０８の連結部１０８ｃ内の穴の中心から半径方向外側（下方）に向かって形成されており、この切欠き溝１０８ｄから周方向片側に沿って所定長さだけ係止溝（図示せず）が形成されている。
したがって、ワイヤ部材９４の後端部９４ｃが操作レバー部材１０８の連結部１０８ｃから取り外す際には、図８に鎖線で示すワイヤ部材９４のように、ワイヤ部材９４の後端部９４ｃを操作レバー部材１０８の連結部１０８ｃ内の穴の中心軸線Ａ１回りに回転させて、ワイヤ部材９４を係止溝（図示せず）から切欠き溝１０８ｄまで移動させた後、ワイヤ部材９４を切欠き溝１０８ｄに合わせて上下方向に延びる姿勢にした状態で、連結部１０８ｃの軸方向外側に引き出すことにより、ワイヤ部材９４の後端部９４ｃが操作レバー部材１０８の連結部１０８ｃから外れるようになっている。
【００５０】
また、図８及び図１１に示すように、非常用の操作レバー部材１０８については、その基端部１０８ａから先端部１０８ｂまで形成される操作レバー部材７０側の面が非操作状態（待機状態）の操作レバー部材７０、並びに、通常時の自動便器洗浄操作が行われている大洗浄モード操作状態の操作レバー部材７０Ａ及び小洗浄モード操作状態の操作レバー部材７０Ｂと常時干渉しないように湾曲状に形成された湾曲部１０８ｅを備えている。
【００５１】
つぎに、図４、図５及び図８に示すように、固定部材６８は、通常時／非常時兼用の操作レバー部材７０に対して非常用の操作レバー部材１０８とは反対側に設けられた肩部６８ｂと、この肩部６８ｂから操作レバー部材７０，１０８のそれぞれと常時干渉しないように、これらの操作レバー部材７０，１０８の軸方向外側且つ斜め下方に向かって突出して延びる第１アーム部６８ｃと、これらの操作レバー部材７０，１０８と常時干渉しないように第１アーム部６８ｃの下端から前方側に屈曲して延びる第２アーム部６８ｄとを備えている。
また、この第２アーム部６８ｄの先端部（後端部６８ｅ）は、非操作状態の操作レバー部材７０の軸方向外側面７０ａに隣接する付近に位置している。
さらに、第２アーム部６８ｄの上部には、チューブ部材９２の後端部９２ｂが取り外しか可能に嵌め込まれるスナップフィット部６８ｆが設けられている。
これにより、図８及び図９に示すように、ワイヤ部材９４の後端部９４ｃは、第２アーム部６８ｄのスナップフィット部６８ｆに固定されたチューブ部材９２の後端部９２ｂから所定長さＬ１（例えば、Ｌ１＝５０ｍｍ〜８０ｍｍ）だけ伸ばした状態で待機位置Ｐ１の操作レバー部材１０８の連結部１０８ｃに連結されるようになっている。
【００５２】
つぎに、図１２は、本発明の第１実施形態による洗浄水タンク装置において、貯水タンクにおける左側面の上方部分を拡大した図８と同様な部分拡大図であり、非常時の便器洗浄操作を開始した状態の通常時／非常時兼用の操作レバー部材及び非常用の操作レバー部材をそれぞれ示す。
図８に示す待機位置Ｐ１の操作レバー部材１０８の連結部１０８ｃ及びワイヤ部材９４の後端部９４ｃは、図１０及び図１２に示すように、停電による非常時の便器洗浄操作を開始する際に、表側操作ユニット３０Ａのリング９６による引き出し操作を行う毎に、チューブ部材９２の後端部９２ｂに近接する最大操作位置Ｐ２まで一定のストローク量Ｓ（例えば、Ｓ＝４０ｍｍ〜６０ｍｍ）で移動可能に位置決めされている。
すなわち、図８に示すように、待機位置Ｐ１の操作レバー部材１０８の連結部１０８ｃ及びワイヤ部材９４の後端部９４ｃは、チューブ部材９２の後端部９２ｂに対して所定距離Ｌ１（例えば、Ｌ１＝５０ｍｍ〜８０ｍｍ）だけ離間して位置決めされている。
【００５３】
また、本実施形態による洗浄水タンク装置１においては、停電による非常時の便器洗浄操作を開始する際に、図１０に示すように、表側操作ユニット３０Ａのリング９６をキャビネット４の表側壁面４ａの表側に手動で引き出し操作を行うと、図１２に示すように、ワイヤ部材９４の後端部９４ｃが非常用の操作レバー部材１０８の連結部１０８ｃをチューブ部材９２の後端部９２ｂ側に引っ張ることができるようになっている。これにより、非常用の操作レバー部材１０８が、図８に示す待機位置Ｐ１から、図１２に示す回転方向Ｄ１（通常時／非常時兼用の操作レバー部材７０側）に最大操作位置Ｐ２までスピンドル１０６と共に回転するようになっている。
このとき、図１１に示す表側操作ユニット３０Ａのねじりコイルばね１１２においては、スピンドル１０６の回転力によりスピンドル１０６の中間部１０６ｂを介してねじりコイルばね１１２が付勢されるため、このねじりコイルばね１１２の付勢力（復元力）が、スピンドル１０６の中間部１０６ｂに対して反対の回転方向に作用するようになっている。
また、非常用の操作レバー部材１０８が最大操作位置Ｐ２まで回転することにより、非常用の操作レバー部材１０８の先端部１０８ｂが通常時／非常時兼用の操作レバー部材７０における非常用の操作レバー部材１０８側の面７０ｂに係合して押圧するようになっている。これにより、通常時／非常時兼用の操作レバー部材７０は、図１２に示す回転方向Ｃ１（貯水タンク１８の奥側）に所定回転角度（例えば、４５度〜６０度）回転操作されて、大洗浄モード操作状態の操作レバー部材７０Ａとなるようになっている。
ここで、自動便器洗浄ユニット２８の駆動回転軸５８は、電動駆動ユニット６４が停電状態であっても、通常時／非常時兼用の操作レバー部材７０と共に回転するようになっている。この駆動回転軸５８の回転により、図７に示すように、従動回転軸６２は、中間回転軸６０を介して回転して、所定回転角度（例えば、４５度〜６０度）回転した最大操作位置Ｐ２となり、ポペット弁５２が開弁して、大洗浄モードによる停電時の非常用の便器洗浄が開始されるようになっている。
【００５４】
つぎに、本実施形態の洗浄水タンク装置においては、大洗浄モードによる停電時の非常用の便器洗浄が開始された後、表側操作ユニット３０Ａにおけるリング９６による引き出し操作を解除すると、裏側操作ユニット３０Ｂのねじりコイルばね１１２の付勢力により、非常用の操作レバー部材１０８は、スピンドル１０６と共に、図１２に示す回転方向Ｄ１とは反対の回転方向Ｄ２に回転し、図８に示す待機位置Ｐ１に復帰するようになっている。
同様に、自動便器洗浄ユニット２８においても、裏側操作ユニット３０Ｂのねじりコイルばね１１２と同様なねじりコイルばね（図示せず）が駆動回転軸５８に設けられており、このねじりコイルばね（図示せず）の付勢力（復元力）が、駆動回転軸５８に対して反対の回転方向に作用するようになっている。したがって、このねじりコイルばね（図示せず）の付勢力により、通常時／非常時兼用の操作レバー部材７０についても、図８に示す回転方向Ｃ２（貯水タンク１８の手前側）に回転操作され、図８に示す待機位置Ｐ１に復帰するようになっている。
【００５５】
つぎに、図１〜図１２を参照して、本発明の第１実施形態による洗浄水タンク装置の動作（作用）について説明する。
なお、本発明の第１実施形態による洗浄水タンク装置１による通常時の自動便器洗浄操作、並びに、その大洗浄モード及び小洗浄モードの各洗浄モードによる自動便器洗浄動作については、従来と同様であるため、これらの説明を省略し、停電による非常時の便器洗浄操作に関わる内容のみについて説明する。
まず、図３、図８及び図９に示すように、停電による非常時の便器洗浄操作を開始する前の待機状態の洗浄水タンク装置１においては、貯水タンク１８内の水位が通常状態の水位ＷＬ３であり、給水弁装置２４において、第一穴４８及び第二穴５０はいずれも閉じられており、主弁体４２は主弁座４４上に着座し、止水状態となっている。
【００５６】
つぎに、停電による非常時の便器洗浄操作を開始する際に、図１０に示すように、非常用の手動操作ユニット３０の表側操作ユニット３０Ａのキャップ９８を取り外した状態で、リング９６をキャビネット４の表側壁面４ａの表側に手動で引き出し操作を行うと、ワイヤ操作ユニット３０Ｃのワイヤ部材９４を介して裏側操作ユニット３０Ｂの非常用の操作レバー部材１０８が図８に示す待機位置Ｐ１から図１２に示す最大操作位置Ｐ２まで操作される。
このとき、図１２に示すように、非常用の操作レバー部材１０８の先端部１０８ｂが通常時／非常時兼用の操作レバー部材７０における非常用の操作レバー部材１０８側の面７０ｂに係合して押圧することにより、通常時／非常時兼用の操作レバー部材７０が大洗浄モードによる洗浄操作が行われる回転方向Ｃ１に回転操作される（図１２に示す通常時／非常時兼用の操作レバー部材７０Ａ参照）。
同時に、通常時／非常時兼用の操作レバー部材７０と共に、駆動回転軸５８及び中間回転軸６０を介して、従動回転軸６２が回転し、給水弁装置２４のポペット弁５２が図６に示す閉弁状態から図７に示す開弁状態となり、第一穴４８が開く。
このとき、第二穴５０は閉じられたままの状態であるため、従動回転軸６２が回転しても、玉鎖８６（図３及び図４参照）はたるむだけで、大小切替弁８４は小タンク８０の開口部８２を開いた状態のままであり、大小洗浄切替機構７６が大洗浄状態となる。
【００５７】
つぎに、通常時／非常時兼用の操作レバー部材７０の操作により第一穴４８が開くと、給水弁装置２４の主弁体４２が主弁座４４から離間して給水する給水状態となる。
これにより、図３〜図５に示すように、外部の給水源（図示せず）から供給される洗浄水は、一次側給水管２２ａ、定流量弁３８、給水弁装置２４、及び二次側給水管２２ｂを経てジェットノズル３４に到達し、このジェットノズル３４からスロート管３２の吸引口３２ｃに向けて洗浄水が噴射される。
このとき、スロート管３２の吸引口３２ｃ付近は負圧となるので、貯水タンク１８内に貯水された洗浄水もスロート管３２内に吸引され、洗浄水タンク装置１により外部から供給される洗浄水と貯水タンク１８内の洗浄水が一緒になってスロート管３２内を流れ、便器本体８に供給され、ボウル部６の洗浄が開始される。
また、図３〜図５に示すように、二次側給水管２２ｂ内の給水のうちの一部は、補給水用の分岐管７２に分岐され、オーバーフロー管７４から便器本体８の導水路（図示せず）を経て、便器本体８のボウル部（図示せず）内に補給水として供給される。
【００５８】
つぎに、図３〜図５に示すように、給水弁装置２４から二次側給水管２２ｂへの洗浄水の供給が開始された直後においては、貯水タンク１８内に洗浄水が未だ高い水位ＷＬ３近くまで貯水された状態であるので、流路切替弁３６のフロート３６ｂは上昇した状態である。
したがって、流路切替弁３６ａは下降し、ジェットノズル３４の前方側を開放している状態となる。これにより、貯水タンク１８内に貯水された洗浄水は、ジェットノズル３４及びスロート管３２の吸引口３２ｃに向かう流れを形成している。
【００５９】
つぎに、図３〜図５に示すように、大洗浄が継続されると、貯水タンク１８内の水位ＷＬがさらに低下し、給水弁装置２４の給水フロート５４が下降する。給水フロート５４の下降が開始されると直ぐにパイロット弁５６が作動し、これにより、第二穴５０が開く。  このとき、第一穴４８は閉鎖状態であるが、第二穴５０は、給水フロート５４が再び上昇する状態まで、開状態が保持される。
【００６０】
また、第二穴５０が開くと、第一穴４８の開閉状態に関係なく、給水弁装置２４における給水状態が継続することになる。第二穴５０が開くと、給水弁装置２４における給水状態が継続し、貯水タンク１８内の水位ＷＬが、大小洗浄切替機構７６の区画壁７８の開口部８２の下端の水位ＷＬ１まで低下する。このとき、フロート３６ｂも水位の低下に連動して水位ＷＬ１の位置まで下降する。
【００６１】
また、貯水タンク１８内の洗浄水の水位が低下するにつれ、フロート３６ｂも下降し、流路切替弁３６ａが上昇する。これにより、スロート管３２の流路が流路切替弁３６ａに遮られ、ジェットノズル３４から噴射される洗浄水は、流路切替弁３６ａに衝突して、スロート管３２内を流れることなく、流路切替弁３６ａによって跳ね返される。
すなわち、流路切替弁３６ａによってジェットノズル３４から噴射される洗浄水は、その進行方向がスロート管３２の内部方向からスロート管３２の外部方向へと切り替えられ、貯水タンク１８内に貯水される。
このとき、貯水タンク１８内の水位は上昇するが、流路切替弁３６ａが洗浄水の勢いにより移動できないので、フロート３６ｂも上昇することなく、その位置に保持される。
また、給水弁装置２４の給水フロート５４は、貯水タンク１８の水位の上昇に連動して上昇するが、第二穴５０は開状態のままであり、それにより給水弁装置２４による給水状態が継続されることになる。
そして、貯水タンク１８の水位の上昇により、流路切替弁３６のフロート３６ｂが上昇して、流路切替弁３６ａが、ジェットノズル３４から噴射される洗浄水が進行する流路方向をスロート管３２の内部方向に差し向ける流路からスロート管３２の外部方向（貯水タンク１８内）に差し向ける流路に切り替え、さらに、貯水タンク１８内の水位が上昇する。
【００６２】
そして、図３〜図５に示すように、貯水タンク１８の水位が上昇して水位ＷＬ３に達すると、給水弁装置２４の給水フロート５４も水位ＷＬ３まで上昇し、給水弁装置２４において、パイロット弁５６が作動し、第二穴５０が閉じられる。これにより、圧力室４６の圧力が一次側流路圧力αとなり、主弁体４２が主弁座４４に向けて移動し、最終的に閉弁された状態（止水状態）となる。給水弁装置２４が止水状態となり、給水が終了し、大洗浄が終了する。
なお、上述した本実施形態による洗浄水タンク装置１においては、大洗浄モードによる停電時の非常用の便器洗浄を行う代わりに、小洗浄モードによる停電時の非常用の便器洗浄を行うようにしてもよい。これにより、停電による非常時に１回の便器洗浄毎に使用される洗浄水量を抑制することができる。
【００６３】
また、図１０に示すリング９６を手前側に引き出した状態から解放すると、圧縮された状態の圧縮コイルばね１０２が保持部材１０４を後方側へ押圧する方向の付勢力（復元力）により、保持部材１０４が引き出し操作前の元の位置に戻ると共にワイヤ部材９４が後方側に移動して、図９に示すように、リング９６が第１ケース本体部８８内に収納される。
同時に、裏側操作ユニット３０Ｂのねじりコイルばね１１２の付勢力により、非常用の操作レバー部材１０８は、図１２に示す最大操作位置Ｐ２から、スピンドル１０６と共に、図１２に示す回転方向Ｄ２に回転し、図８に示す待機位置Ｐ１に復帰する。
また、通常時／非常時兼用の操作レバー部材７０についても、裏側操作ユニット３０Ｂのねじりコイルばね１１２と同様なねじりコイルばね（図示せず）の付勢力により、通常時／非常時兼用の操作レバー部材７０についても、図８に示す回転方向Ｃ２（貯水タンク１８の手前側）に回転操作され、図８に示す待機位置Ｐ１に復帰する。
そして、非常用の手動操作ユニット３０の各操作ユニット３０Ａ，３０Ｂ，３０Ｃは、次回の非常時の便器洗浄操作が可能な待機状態となる。
【００６４】
上述した本発明の第１実施形態による洗浄水タンク装置１によれば、非常用の手動操作ユニット３０が、キャビネット４の表側壁面４ａに設けられて手動によりこの表側壁面４ａの表側に引き出し操作が可能な表側操作部であるリング９６を含む表側操作ユニット３０Ａと、キャビネット４の内部スペースＩ内の通常時／非常時兼用の操作レバー部材７０に隣接して設けられた裏側操作部である非常用の操作レバー部材１０８を含む裏側操作ユニット３０Ｂと、リング９６に連結される前端部９４ａから非常用の操作レバー部材１０８の連結部１０８ｃに連結される後端部９４ｃまで延びるワイヤ部材９４を含むワイヤ操作ユニット３０Ｃと、を備えているため、停電による非常時の便器洗浄操作を開始する際に、非常用の手動操作ユニット３０の表側操作ユニット３０Ａのリング９６をキャビネット４の表側壁面４ａの表側に手動で引き出し操作を行うことによりワイヤ操作ユニット３０Ｃのワイヤ部材９４を介して裏側操作ユニット３０Ｂの非常用の操作レバー部材１０８を操作して、通常時／非常時兼用の操作レバー部材７０を回転操作することができる。
したがって、便器本体８の後方側のキャビネット４の内部スペースＩ内に隠蔽された貯水タンク１８であっても、停電による非常時において給水弁装置２４の給水動作をキャビネット４の表側壁面４ａの表側から容易に手動操作することができ、貯水タンク１８から便器本体８に洗浄水を供給して確実な便器洗浄を行うことができる。
また、停電による非常時の便器洗浄操作を開始する際に、表側操作ユニット３０Ａのリング９６をキャビネット４の表側壁面４ａの表側に手動で引き出し操作を行うことによりワイヤ部材９４を直接的に且つ比較的大きなストローク量Ｓで移動させることができるため、通常時／非常時兼用の操作レバー部材７０を比較的大きな操作量（ストローク量Ｓ）で操作することができ、給水弁装置２４による給水動作を効率よく操作することができる。
【００６５】
また、本実施形態による洗浄水タンク装置１によれば、停電による非常時の便器洗浄操作を開始する際に、非常用の手動操作ユニット３０の表側操作ユニット３０Ａのリング９６をキャビネット４の表側壁面４ａの表側に手動で引き出し操作を行うことにより、ワイヤ操作ユニット３０Ｃのワイヤ部材９４を介して非常用の操作レバー部材１０８を操作して、この非常用の操作レバー部材１０８の先端部１０８ｂにより通常時／非常時兼用の操作レバー部材７０を比較的大きな操作量（例えば、回転角度が７０度〜９０度）で回転操作することができ、駆動回転軸５８、中間回転軸６０及び従動回転軸６２を介して給水弁装置２４のポペット弁５２の開弁動作を効率よく操作することができる。
したがって、便器本体８の後方側のキャビネット４の内部スペースＩ内に隠蔽された貯水タンク１８であっても、停電による非常時において、貯水タンク１８から便器本体８に洗浄水を供給して確実な便器洗浄を行うことができる。
【００６６】
さらに、本実施形態による洗浄水タンク装置１によれば、非常用の手動操作ユニット３０の裏側操作ユニット３０Ｂの非常用の操作レバー部材１０８が、通常時の自動便器洗浄操作が行われている状態の通常時／非常時兼用の操作レバー部材７０と常時干渉しないように通常時／非常時兼用の操作レバー部材７０に隣接して配置されていることにより、回転操作時の通常時／非常時兼用の操作レバー部材７０や駆動回転軸５８に対して、非常用の操作レバー部材１０８の干渉による回転の負荷や消耗等を無くすことができる。
また、通常時の自動便器洗浄操作が行われる毎に、非常用の操作レバー部材１０８が通常時／非常時兼用の操作レバー部材７０に接触したり、通常時／非常時兼用の操作レバー部材７０の回転と連動したりすることも防ぐことができるため、非常用の操作レバー部材１０８の使用頻度を停電による非常時に制限することができ、非常用の操作レバー部材１０８やこれに関与するその他の部品の消耗を防ぐことができる。
【００６７】
また、本実施形態による洗浄水タンク装置１によれば、ワイヤ部材９４の後端部９４ｃが連結される非常用の操作レバー部材１０８の連結部１０８ｃが、スピンドル１０６の外側端部１０６ａに取り付けられた非常用の操作レバー部材１０８の基端部１０８ａから最大距離に位置する先端部１０８ｂの近傍に設けられているため、非常用の手動操作ユニット３０の表側操作ユニット３０Ａのリング９６をキャビネット４の表側壁面４ａの表側に手動で引き出し操作を行う際に、比較的小さな操作力でワイヤ部材９４を介して非常用の操作レバー部材１０８の連結部１０８ｃを操作して、非常用の操作レバー部材１０８を容易に回動操作することができる。
したがって、停電による非常時の便器洗浄操作を開始する際に、非常用の操作レバー部材１０８の操作性を向上させることができ、通常時／非常時兼用の操作レバー部材７０を効率よく回転操作することができる。
また、非常用の操作レバー部材１０８の基端部１０８ａから先端部１０８ｂまで形成される通常時／非常時兼用の操作レバー部材７０側の面が、通常時の自動便器洗浄操作が行われている状態の通常時／非常時兼用の操作レバー部材７０と常時接触しないように湾曲状に形成されている湾曲部１０８ｅにより、回転操作時の通常時／非常時兼用の操作レバー部材７０や駆動回転軸５８に対して、非常用の操作レバー部材１０８の干渉による回転の負荷や消耗等を無くすことができる。
さらに、通常時の自動便器洗浄操作が行われる毎に、非常用の操作レバー部材１０８が通常時／非常時兼用の操作レバー部材７０に接触したり、通常時／非常時兼用の操作レバー部材７０の回転と連動したりすることを防ぐこともできるため、非常用の操作レバー部材１０８の使用頻度を停電による非常時に制限することができ、非常用の操作レバー部材１０８及びスピンドル１０６や、これらに関与する他の部品の消耗を防ぐことができる。
【００６８】
さらに、本実施形態による洗浄水タンク装置１によれば、非常用の手動操作ユニット３０の裏側操作ユニット３０Ｂのスピンドル１０６をその回転時の回転方向とは反対方向に付勢するねじりコイルばね１１２により、表側操作ユニット３０Ａのリング９６をキャビネット４の表側壁面４ａの表側に手動で引き出し操作を行う前の状態である待機位置Ｐ１の非常用の操作レバー部材１０８が、表側操作ユニット３０Ａのリング９６をキャビネット４の表側壁面４ａの表側に手動で引き出し操作を行うことにより回転方向Ｄ１に回転して通常時／非常時兼用の操作レバー部材７０を回転操作した後、この引き出し操作を解除したときに回転方向Ｄ１とは反対の回転方向Ｄ２に回転して待機位置Ｐ１に戻るようにスピンドル１０６を付勢することができる。したがって、その後、停電による非常時の便器洗浄操作を繰り返し行うことができる。
【００６９】
また、本実施形態による洗浄水タンク装置１によれば、ワイヤユニット３０Ｃのチューブ部材９２の後端部９２ｂが、固定部材６８の肩部６８ｂから第１アーム部６８ｃを経て、この第１アーム部６８ｃの下端から通常時／非常時兼用の操作レバー部材７０側に屈曲して延びる第２アーム部６８ｄに固定されており、ワイヤ部材９４の後端部９４ｃが、チューブ部材９２の後端部９２ｂから所定長さＬ１だけ伸ばした状態で待機位置Ｐ１の非常用の操作レバー部材１０８の連結部１０８ｃに連結されている。
さらに、待機位置Ｐ１の非常用の操作レバー部材１０８の連結部１０８ｃ及びワイヤ部材９４の後端部９４ｃが、停電による非常時の便器洗浄操作を開始する際に、リング９６をキャビネット４の表側壁面４ａの表側に手動で引き出し操作を行う毎に、チューブ部材９２の後端部９２ｂに近接する最大操作位置Ｐ２まで一定のストローク量Ｓで移動可能にチューブ部材の後端部に対して所定距離Ｌ１だけ離間して位置決めされているため、ワイヤ部材９４をチューブ部材９２に対して一定のストローク量Ｓで精度良く移動させることができ、非常用の操作レバー部材１０８を安定して操作することができる。
したがって、停電による非常時の便器洗浄操作を繰り返しても、安定した便器洗浄を実行することができる。
【００７０】
さらに、本実施形態による洗浄水タンク装置１によれば、チューブ部材９２の後端部９２ｂが固定部材６８の第２アーム部６８ｄに取り外し可能に取り付けられ、ワイヤ部材９４の後端部９４ｃが非常用の操作レバー部材１０８の連結部１０８ｃに取り外し可能に取り付けられている。したがって、例えば、ワイヤ部材９４の後端部９４ｃを非常用の操作レバー部材１０８の連結部１０８ｃから取り外すと共に、チューブ部材９２の後端部９２ｂを固定部材６８の第２アーム部６８ｄから取り外すことにより、これらのチューブ部材９２やワイヤ部材９４を含むワイヤ操作ユニット３０Ｃや表側操作ユニット３０Ａ、並びに、貯水タンク１８側の関連要素について、保守点検や交換等のメンテナンスを容易に独立して行うことができる。
【００７１】
また、本実施形態による洗浄水タンク装置１によれば、表側操作ユニット３０Ａが、キャビネット４の表側壁面４ａに取り付けられて、この表側壁面４ａの表側からキャビネット４の内部スペースＩ内に向かって筒状に形成される第１ケース本体部８８及び第２ケース本体部９０を備えており、この第２ケース本体部９０の後端部には、チューブ部材９２の前端部９２ａが固定され、表側操作ユニット３０Ａのリング９６が、ワイヤ部材９４の前端部９４ａが連結されて使用者が把持可能に第１ケース本体部８８の内部に設けられていることにより、使用者は、停電による非常時の便器洗浄操作を開始する際には、リング９６を容易に把持することができ、このリング９６を把持した状態で第１ケース本体部８８に対してキャビネット４の表側壁面４ａの表側に手動で引き出し操作が容易になる。
したがって、リング９６を把持して表側操作ユニット３０Ａの第１ケース本体部８８に対して手動で引き出す簡易な操作により、停電による非常時の便器洗浄操作を容易に行うことができ、確実な便器洗浄を行うことができる。
【００７２】
さらに、本実施形態による洗浄水タンク装置１によれば、表側操作ユニット３０Ａのキャップ９８が、ケース本体部８８の表側に形成される開口部８８ｂを表側から覆うように着脱可能に取り付けられているため、停電による非常時の便器洗浄操作を行わないときには、第１ケース本体部８８の表側の開口部８８ｂを覆うようにキャップ９８を取り付けることにより、表側操作ユニット３０Ａの第１ケース本体部８８内にリング９６を収納して隠蔽することができる。
一方、停電による非常時の便器洗浄操作を行うときには、キャップ９８を適宜表側操作ユニット３０Ａの第１ケース本体部８８から取り外すことにより第１ケース本体部８８内のリング９６にアクセスして手動操作を行うことができる。
また、停電による非常時の便器洗浄操作を行わない状況において、キャップ９８が表側操作ユニット３０Ａの第１ケース本体部８８の表側の開口部８８ｂに取り付けられて、リング９６が第１ケース本体部８８内に収納されて隠蔽されることにより、表側操作ユニット３０Ａの第１ケース本体部８８内のリング９６が不用意に操作されたり、悪戯されたりすることを防ぐことができる。
さらに、リング９６及びワイヤ部材９４以外の表側操作ユニット３０Ａの第１ケース本体部８８の内部とキャップ９８とを接続する抜け止め部材であるワイヤ部材１００により、キャップ９８を取り外した状態でキャップ９８が第１ケース本体部８８から脱落することを防ぐことができるため、キャップ９８の紛失や盗難を防ぐことができる。
【００７３】
また、本実施形態による洗浄水タンク装置１によれば、表側操作ユニット３０Ａが、第２ケース本体部９０内に設けられた表側操作用の付勢部材である圧縮コイルばね１０２と、第２ケース本体部９０内に摺動可能に設けられて圧縮コイルばね１０２を保持する保持部材１０４とを備えているため、リング９６をキャビネット４の表側壁面４ａの表側に手動で引き出し操作を行うことにより、保持部材１０４がワイヤ部材９４の移動と共に第２ケース本体部９０内を摺動して圧縮コイルばね１０２を付勢し、その後、引き出し操作を解除すると、圧縮コイルばね１０２の付勢力により保持部材１０４が元の位置に移動してリング９６を第１ケース本体部８８内に収納することができる。したがって、停電による非常時の便器洗浄操作を繰り返し行うことができる。
【００７４】
なお、上述した本発明の第１実施形態による洗浄水タンク装置１においては、非常用の手動操作ユニット３０を適用する貯水タンク１８として、キャビネット４の内部スペースＩ内において、便器本体８の上面の高さ位置に対して所定距離上方に離間した高さ位置に配置された形態について説明したが、このような形態の貯水タンクに限られず、非常用の手動操作ユニット３０については、他の仕様のあらゆる貯水タンクについても適用可能である。
また、本実施形態による洗浄水タンク装置１の非常用の手動操作ユニット３０は、既に設置されている貯水タンクに対して、後付けで適用することもできるため、あらゆる仕様の貯水タンクにおいても、非常時の便器洗浄操作を行うことができる汎用性の高い非常用の手動操作ユニットを提供することができる。
【００７５】
つぎに、図１３〜図１７を参照して、本発明の第２実施形態による洗浄水タンク装置について説明する。
まず、図１３は、本発明の第２実施形態による洗浄水タンク装置、及び、この洗浄水タンク装置が適用される水洗大便器の部分右側側面図である。
つぎに、図１４は、図１３に示す本発明の第２実施形態による洗浄水タンク装置について、水洗大便器の後方側のキャビネットの天板を取り外した状態で貯水タンクの部分を上方から見た部分拡大平面図である。
また、図１５は、本発明の第２実施形態による洗浄水タンク装置の貯水タンクの内部構造を示す正面中央断面図である。
さらに、図１６は、本発明の第２実施形態による洗浄水タンク装置において、貯水タンクにおける右側面の上方部分を拡大した部分拡大図であり、非常時の便器洗浄操作を開始した状態の通常時／非常時兼用の操作レバー部材及び非常用の操作レバー部材をそれぞれ示す。
また、図１７は、図１５のＸＶＩＩ−ＸＶＩＩ線に沿って見た断面図であり、本発明の第２実施形態による洗浄水タンク装置の非常時の便器洗浄操作を開始した状態を示す。
ここで、図１３〜図１７において、上述した本発明の第１実施形態による洗浄水タンク装置１の部分と同一部分については同一の符号を付し、これらの説明については省略する。
したがって、以下、本発明の第２実施形態による洗浄タンク装置２００については、上述した本発明の第１実施形態による洗浄タンク装置１の特徴部分と異なる特徴部分のみについて説明し、その他の部分については説明を省略する。
【００７６】
まず、図１３及び図１４に示すように、本発明の第２実施形態による洗浄水タンク装置２００においては、貯水タンク２１８が便器本体８の後方側に設けられたキャビネット４の内部スペースＩ内に隠蔽されるように配置されている点で、上述した本発明の第１実施形態による洗浄水タンク装置１の貯水タンク１８と共通している。
しかしながら、図１３に示すように、本発明の第２実施形態による洗浄水タンク装置２００の貯水タンク２１８では、その底部の排水口２１８ａが便器本体８の上面８ａとほぼ同一の高さ位置にある。すなわち、便器本体８に対する高さ方向の貯水タンク２１８の位置が全体的に本発明の第１実施形態による洗浄水タンク装置１の貯水タンク１８の位置よりも低い位置に配置されている点で、本発明の第１実施形態による洗浄水タンク装置１の貯水タンク１８と異なっている。
【００７７】
つぎに、図１４及び図１５に示すように、本発明の第２実施形態による洗浄水タンク装置２００では、自動便器洗浄ユニット２８における電動駆動ユニット６４、並びに、駆動回転軸５８、中間回転軸６０及び従動回転軸６２の構造が、上述した本発明の第１実施形態による洗浄水タンク装置１の自動便器洗浄ユニット２８の構造と共通する。
しかしながら、図１４、図１５及び図１７に示すように、本発明の第２実施形態による洗浄水タンク装置２００では、自動便器洗浄ユニット２８が、通常時の自動便器洗浄操作を開始する際に、リモコン（図示せず）等によって使用者側から送信された信号、或いは、便器本体８の一部に設けられた人感センサ（図示せず）が使用者を検知した信号に基づいて、貯水タンク２１８の底面に形成された排水口２１８ａを開閉する排水弁装置２２０による排水動作を自動（電動）で操作するようになっている点で、上述した本発明の第１実施形態による洗浄水タンク装置１の給水弁装置２４による給水動作を自動（電動）で操作する自動便器洗浄ユニット２８と異なっている。
また、本発明の第２実施形態による洗浄水タンク装置２００においては、図１０に示す本発明の第１実施形態の洗浄水タンク装置１の非常用の手動操作ユニット３０の表側操作ユニット３０Ａと同様に、リング９６を手動で引き出し操作を行うと、図１５〜図１７に示すように、ワイヤ操作ユニット３０Ｃのワイヤ部材９４を介して裏側操作ユニット３０Ｂの非常用の操作レバー部材１０８が回転操作され、排水弁装置２２０による排水動作を手動で操作することができるようになっている点で、上述した本発明の第１実施形態による洗浄水タンク装置１の給水弁装置２４による給水動作を手動で操作する非常用の手動操作ユニット３０と異なっている。
【００７８】
さらに、図１３、図１４及び図１６に示すように、本発明の第２実施形態による洗浄水タンク装置２００では、自動便器洗浄ユニット２８及び非常用の手動操作ユニット３０の裏側操作ユニット３０Ｂのそれぞれを貯水タンク１８に対して固定する固定部材２６８による固定構造、並びに、非常用の手動操作ユニット３０のワイヤ操作ユニット３０Ｃのチューブ部材９２の後端部９２ｂを貯水タンク１８に対して固定する固定部材２７０による固定構造が、上述した本発明の第１実施形態による洗浄水タンク装置１における自動便器洗浄ユニット２８、非常用の手動操作ユニット３０の裏側操作ユニット３０Ｂ、及び、ワイヤ操作ユニット３０Ｃのチューブ部材９２の後端部９２ｂのそれぞれを貯水タンク１８に対して固定する固定部材６８による固定構造と異なっている。
【００７９】
また、図１４に示すように、本発明の第２実施形態による洗浄水タンク装置２００では、固定部材２６８の後端部２６８ａが、キャビネット４の後壁部４ｄに固定された支持フレーム４ｅに固定されている。
すなわち、図１３〜図１６に示すように、固定部材２６８は、キャビネット４の前壁部４ｂの後側壁面（第１壁面）とキャビネット４の後壁部４ｄの前側壁面（第２壁面）との間に設けられて且つ貯水タンク２１６の右側上方に配置されており、自動便器洗浄ユニット２８及び非常用の手動操作ユニット３０の裏側操作ユニット３０Ｂのそれぞれを貯水タンク２１８に対して位置決めしている。
一方、図１４に示すように、本発明の第２実施形態による洗浄水タンク装置２００では、固定部材２７０の後端部２７０ａが、キャビネット４の前壁部４ｂに固定された支持フレーム４ｆに固定されている。
すなわち、図１３、図１４及び図１６に示すように、固定部材２７０は、キャビネット４の前壁部４ｂの後側壁面（第１壁面）とキャビネット４の後壁部４ｄの前側壁面（第２壁面）との間に設けられて且つ貯水タンク２１６の右側上方に配置されており、非常用の手動操作ユニット３０のワイヤ操作ユニット３０Ｃのチューブ部材９２の後端部９２ｂを貯水タンク２１８に対して位置決めしている。
なお、固定部材２６８については、その前端部をキャビネット４の前壁部４ｂ側に固定してもよく、固定部材２７０については、その後端部をキャビネット４の後壁部４ｄ側に固定してもよい。
【００８０】
また、チューブ部材９２の後端部９２ｂは、固定部材２７０に着脱可能に取り付けられている。
したがって、例えば、ワイヤ部材９４の後端部９４ｃを非常用の操作レバー部材１０８の連結部１０８ｃから取り外すと共に、チューブ部材９２の後端部９２ｂを固定部材２７０から取り外すことにより、これらのチューブ部材９２やワイヤ部材９４を含むワイヤ操作ユニット３０Ｃや表側操作ユニット３０Ａ、並びに、貯水タンク１８側の関連要素について、保守点検や交換等のメンテナンスを容易に独立して行うことができるようになっている。
【００８１】
図１４及び図１６に示すように、通常時／非常時兼用の操作レバー部材７０は、固定部材２６８を貯水タンク２１８の側方に貫く駆動回転軸５８の外側端部に固定部材２６８を介して取り付けられている。
また、図１４及び図１６に示すように、非常用の操作レバー部材１０８の基端部１０８ａは、固定部材２６８を貯水タンク２１８の側方に貫き且つ駆動回転軸５８に対して平行に延びるスピンドル１０６の外側端部１０６ａに固定部材２６８を介して取り付けられている。
さらに、図１４及び図１６に示すように、固定部材２７０は、通常時／非常時兼用の操作レバー部材７０に対して非常用の操作レバー部材１０８とは貯水タンク２１８の前後方向の反対側に位置している。
また、図１４及び図１６に示すように、固定部材２７０は、通常時／非常時兼用の操作レバー部材７０及び非常用の操作レバー部材１０８のそれぞれと常時干渉しないように、それぞれの操作レバー部材７０，１０８の軸方向外側に位置しており、図１３に示すように、固定部材２７０の前端部２７０ｂは、非操作状態の操作レバー部材７０の軸方向外側面７０ａに隣接する付近まで延びている。
これにより、図１３に示すように、本発明の第１実施形態による洗浄水タンク装置１と同様に、ワイヤ部材９４の後端部９４ｃは、固定部材２７０に固定されたチューブ部材９２の後端部９２ｂから所定長さＬ１（例えば、Ｌ１＝５０ｍｍ〜８０ｍｍ）だけ伸ばした状態で待機位置Ｐ１の操作レバー部材１０８の連結部１０８ｃに連結されるようになっている。これにより、待機位置Ｐ１の操作レバー部材１０８の連結部１０８ｃ及びワイヤ部材９４の後端部９４ｃが、停電による非常時の便器洗浄操作を開始する際に、リング９８をキャビネット４の大手側壁面４ａの表側に手動で引き出し操作を行う毎に、チューブ部材９２の後端部９２ｂに近接する最大操作位置Ｐ２まで一定のストローク量Ｓで移動可能にチューブ部材９２の後端部９２ｂに対して所定距離Ｌ１だけ離間して位置決めされており、ワイヤ部材９４をチューブ部材９２に対して一定のストローク量Ｓで精度良く移動させることができ、非常用の操作レバー部材１０８を安定して操作することができるようになっている。
【００８２】
つぎに、図１５及び図１７に示すように、貯水タンク２１８の内部には、外部の水道管などの給水源（図示せず）に接続される一次側給水管２２ａから供給される洗浄水を貯水タンク２１８内に給水する給水弁装置２２４と、排水口２１８ａを開閉する排水弁装置２２０とが設けられている。
給水弁装置２２４は、フロート２２４ａと、給水管２２ａと連通して貯水タンク２１８に洗浄水を吐水する吐水管２２４ｂと、フロート２２４ａにレバー３８を介して連結される給水バルブ２２４ｄとを備えており、従来のものと同様な構造であるため、説明を省略する。
【００８３】
また、排水弁装置２２０は、従来のものと同様のものであり、通常時の自動便器洗浄操作を開始する際に、リモコン（図示せず）等によって使用者側から送信された信号に基づいて、自動便器洗浄ユニット２８によって作動され、水洗大便器２における大洗浄モード、小洗浄モード、エコ小洗浄モードの３つの洗浄モードによる便器洗浄を実現可能にするものである。
したがって、以下、排水弁装置２２０の構造については、従来の排水弁装置の構造と同様であるため、詳細な説明については省略し、いくつかの主要な構造のみについて説明する。
【００８４】
まず、排水弁装置２２０は、従動回転軸６２に取り付けられて且つこの従動回転軸６２の回転と共に揺動する第１の引き上げ部材２２６及び第２の引き上げ部材２２８をそれぞれ備えている。これらの第１の引き上げ部材２２６及び第２の引き上げ部材２２８の先端部のそれぞれには、第１玉鎖２３０の上端部分及び第２玉鎖２３２の上端部分が取り付けられている。
【００８５】
これらの第１の引き上げ部材２２６及び第２の引き上げ部材２２８については、通常時の自動便器洗浄操作を開始する際に、自動便器洗浄ユニット２８の電動駆動ユニット６４の駆動回転軸５８の駆動により、従動回転軸６２が一方側（図１７に示す大洗浄時の回転方向Ｃ１）に回転すると、第１の引き上げ部材２２６のみが、その一方側に揺動して第１玉鎖２３０のみを引き上げるようになっている。
同様に、停電による非常時の便器洗浄操作を開始する際に、図１０に示す本発明の第１実施形態の洗浄水タンク装置１の非常用の手動操作ユニット３０の表側操作ユニット３０Ａと同様に、リング９６を手動で引き出し操作を行うと、ワイヤ操作ユニット３０Ｃのワイヤ部材９４を介して裏側操作ユニット３０Ｂの非常用の操作レバー部材１０８が、図１３に示す待機位置Ｐ１から図１６に示す最大操作位置Ｐ２まで操作され、図１６に示すように、通常時／非常時兼用の操作レバー部材７０及び駆動回転軸５８が大洗浄モードによる洗浄操作が行われる回転方向Ｃ１に回転操作されるようになっている。これにより、従動回転軸６２が一方側（図１７に示す大洗浄時の回転方向Ｃ１）に回転し、第１の引き上げ部材２２６のみが揺動して第１玉鎖２３０のみを引き上げるようになっている。
一方、通常時の自動便器洗浄操作を開始する際に、自動便器洗浄ユニット２８の電動駆動ユニット６４の駆動回転軸５８の駆動により、従動回転軸６２が他方側（図１７に示す小洗浄時及びエコ小洗浄時の回転方向Ｃ２）に回転すると、第１の引き上げ部材２２６及び第２の引き上げ部材２２８の両方が、その他方側に揺動して第１玉鎖２３０及び第２玉鎖２３２の両方を引き上げるようになっている。
【００８６】
つぎに、図１５及び図１７に示すように、排水弁装置２２０は、排水口２１８ａの上縁に沿って形成される弁座２３４と、この弁座２３４の上端面に上方から接触することにより排水口２１８ａを閉止する排水弁体２３６と、上下方向に延びるように形成されて下端側に排水弁体２３６が取り付けられているオーバーフロー管２３８とを備えている。このオーバーフロー管２３８は、排水弁体２３６が保持されている弁体保持部２３８ａから上方に延びて制御筒２４０に対して上下方向に摺動可能な摺動部材である。
また、図１５及び図１７に示すように、排水弁装置２２０は、貯水タンク２２の底部に接続されて且つ下方側が排水口２１８ａと連通する制御筒２４０と、この制御筒２４０の外側と取り囲むように配置される筒体２４２と、制御筒２４０内に配置されて制御筒２４０内の水位に応じて上下動するフロート２４４とを備えている。
さらに、図１５に示すように、排水弁装置２２０は、オーバーフロー管２３８と第１玉鎖２３０とを接続する接続部材２４６と、筒体２４２の側面に形成される開口部２４８を開閉する切替弁２５０，２５２とを備えており、切替弁２５２の一部は第２玉鎖２３２の下端部と接続されている。
【００８７】
つぎに、図１３〜図１７を参照して、本発明の第２実施形態による洗浄水タンク装置の動作（作用）について説明する。
まず、本発明の第２実施形態による洗浄水タンク装置２００による通常時の自動便器洗浄操作、並びに、その大洗浄モード及び小洗浄モードの各洗浄モードによる自動便器洗浄動作については、従来と同様であるため、これらの説明を省略し、停電による非常時の便器洗浄操作に関わる内容のみについて説明する。
まず、図１５に示すように、停電による非常時の便器洗浄操作を開始する前の待機状態の洗浄水タンク装置２００においては、排水弁装置２２０の排水弁体２３６が弁座２３４に当接して排水口２１８ａを閉止した状態となっている。
【００８８】
つぎに、停電による非常時の便器洗浄操作を開始する際に、図１０に示す本発明の第１実施形態の洗浄水タンク装置１の非常用の手動操作ユニット３０の表側操作ユニット３０Ａと同様に、キャップ９８を取り外した状態で、リング９６をキャビネット４の表側壁面４ａの表側に手動で引き出し操作を行うと、ワイヤ操作ユニット３０Ｃのワイヤ部材９４を介して裏側操作ユニット３０Ｂの非常用の操作レバー部材１０８が図１３に示す待機位置Ｐ１から図１６に示す最大操作位置Ｐ２まで操作される。
このとき、図１６に示すように、非常用の操作レバー部材１０８の先端部１０８ｂが通常時／非常時兼用の操作レバー部材７０における非常用の操作レバー部材１０８側の面７０ｂに係合して押圧することにより、通常時／非常時兼用の操作レバー部材７０が大洗浄モードによる洗浄操作が行われる回転方向Ｃ１に回転操作される（図１６に示す通常時／非常時兼用の操作レバー部材７０Ａ参照）。
同時に、図１５及び図１７に示すように、通常時／非常時兼用の操作レバー部材７０と共に、駆動回転軸５８及び中間回転軸６０を介して、従動回転軸６２が回転する。これにより、第１の引き上げ部材２２６のみが揺動され、第１玉鎖２３０を介してオーバーフロー管２３８及び排水弁体２３６が、図１５に示す閉弁位置から図１７に示す距離Ｈ１だけ上方の最高高さ位置まで引き上げられる。そして、排水口２１８ａが開いて、貯水タンク２１８内の洗浄水が排水口２１８ａから便器本体８の導水路（図示せず）に排水され、便器本体８のボウル部（図示せず）内において大洗浄モードによる非常用の便器洗浄が開始される。
このとき、第２の引き上げ部材６０（図１５参照）は揺動されないので、筒体２４２の開口部２４８を開閉する各切替弁２５０，２５２は、図１５に示すように、開口部２４８から離間した位置のままである。よって、筒体２４２の開口部２４８は全開であり、その開口断面積も変わらない。
【００８９】
つぎに、図１０に示す本発明の第１実施形態による洗浄水タンク装置１の非常用の手動操作ユニット３０の表側操作ユニット３０Ａと同様に、図１０に示すリング９６を手前側に引き出した状態から解放すると、圧縮された状態の圧縮コイルばね１０２が保持部材１０４を後方側へ押圧する方向の付勢力（復元力）により、保持部材１０４が引き出し操作前の元の位置に戻ると共にワイヤ部材９４が後方側に移動して、図９に示すように、リング９６が第１ケース本体部８８内に収納される。
同時に、裏側操作ユニット３０Ｂのねじりコイルばね１１２の付勢力により、非常用の操作レバー部材１０８は、図１６に示す最大操作位置Ｐ２から、スピンドル１０６と共に、図１６に示す回転方向Ｄ２に回転し、図１３に示す待機位置Ｐ１に復帰する。
また、通常時／非常時兼用の操作レバー部材７０についても、裏側操作ユニット３０Ｂのねじりコイルばね１１２と同様なねじりコイルばね（図示せず）の付勢力により、通常時／非常時兼用の操作レバー部材７０についても、図１６に示す回転方向Ｃ２（貯水タンク１８の奥側）に回転操作され、図１３に示す待機位置Ｐ１に復帰する。
そして、非常用の手動操作ユニット３０の各操作ユニット３０Ａ，３０Ｂ，３０Ｃは、次回の非常時の便器洗浄操作が可能な待機状態となる。
なお、上述した本実施形態による洗浄水タンク装置２００においては、大洗浄モードによる停電時の非常用の便器洗浄を行う代わりに、小洗浄モード或いはエコ小洗浄モードによる停電時の非常用の便器洗浄を行うようにしてもよい。これらにより、停電による非常時に１回の便器洗浄毎に使用される洗浄水量を抑制することができる。
【００９０】
上述した本発明の第２実施形態による洗浄水タンク装置２００によれば、停電による非常時の便器洗浄操作を開始する際に、非常用の手動操作ユニット３０の表側操作ユニット３０Ａのリング９６をキャビネット４の表側壁面４ａの表側に手動で引き出し操作を行うことにより、ワイヤ操作ユニット３０Ｃのワイヤ部材９４を介して非常用の操作レバー部材１０８を操作して、この非常用の操作レバー部材１０８の先端部１０８ｂにより通常時／非常時兼用の操作レバー部材７０を比較的大きな操作量（例えば、回転角度が７０度〜９０度）で回転操作することができ、駆動回転軸５８、中間回転軸６０及び従動回転軸６２を介して排水弁装置２２０の第１の引き上げ部材２２６によるオーバーフロー管２３８及び排水弁体２３６に引き上げ動作（排水弁体２３６の開弁動作）を効率よく操作することができる。
したがって、便器本体８の後方側のキャビネット４の内部スペースＩ内に隠蔽された貯水タンク１８であっても、停電による非常時において、貯水タンク１８から便器本体８に洗浄水を供給して確実な便器洗浄を行うことができる。
【００９１】
また、本実施形態による洗浄水タンク装置２００によれば、チューブ部材９２の後端部９２ｂが、固定部材２７０に固定されており、ワイヤ部材９４の後端部９４ｃが、チューブ部材９２の後端部９２ｂから所定長さＬ１（例えば、Ｌ１＝５０ｍｍ〜８０ｍｍ）だけ伸ばした状態で待機位置Ｐ１の操作レバー部材１０８の連結部１０８ｃに連結されている。これにより、待機位置Ｐ１の操作レバー部材１０８の連結部１０８ｃ及びワイヤ部材９４の後端部９４ｃが、停電による非常時の便器洗浄操作を開始する際に、リング９８をキャビネット４の大手側壁面４ａの表側に手動で引き出し操作を行う毎に、チューブ部材９２の後端部９２ｂに近接する最大操作位置Ｐ２まで一定のストローク量Ｓで移動可能にチューブ部材９２の後端部９２ｂに対して所定距離Ｌ１だけ離間して位置決めされているため、ワイヤ部材９４をチューブ部材９２に対して一定のストローク量Ｓで精度良く移動させることができ、非常用の操作レバー部材１０８を安定して操作することができる。
したがって、停電による非常時の便器洗浄操作を繰り返しても、安定した便器洗浄を確保することができる。
【符号の説明】
【００９２】
１      洗浄水タンク装置
２      水洗大便器
４      キャビネット
４ａ    キャビネットの表側壁面（壁面）
４ｂ    キャビネットの前壁部
４ｃ    取付穴
４ｄ    キャビネットの後壁部
４ｅ    支持フレーム
４ｆ    支持フレーム
６      支持構造体
６ａ    取付部
８      便器本体
８ａ    便器本体の上面
１０      排水管
１２      給水管
１４      通気管
１６      雑排水用の配管
１８      貯水タンク
１８ａ    排水口（排水部）
２０      タンク支持部材
２０ａ    タンク支持部材の下端部
２０ｂ    タンク支持部材の縦部
２０ｃ    タンク支持部材の横部
２２      給水管
２２ａ    一次側給水管
２２ｂ    二次側給水管
２４      給水弁装置（給水部）
２６      ジェットポンプユニット
２８      自動便器洗浄ユニット
３０      非常用の手動操作ユニット
３０Ａ    表側操作ユニット
３０Ｂ    裏側操作ユニット
３０Ｃ    ワイヤ操作ユニット
３２      スロート管
３２ａ    上昇管部
３２ｂ    下降管部
３２ｃ    吸引口
３４      ジェットノズル
３６      流路切替弁装置
３６ａ    流路切替弁
３６ｂ    フロート
３７      排水管
３８      定流量弁
４０      真空破壊弁
４２      主弁体
４４      主弁座
４６      圧力室
４８      第一穴
５０      第二穴
５２      ポペット弁（給水弁）
５２ａ    弁体
５２ｂ    本体部
５４      給水フロート
５６      パイロット弁
５８      駆動回転軸（回転軸、第１回転軸）
６０      中間回転軸
６２      従動回転軸
６２ａ    外周面
６２ｂ    外周面
６４      電動駆動ユニット
６６      圧縮コイルばね
６８      固定部材
６８ａ    取付穴
６８ｂ    肩部
６８ｃ    第１アーム部
６８ｄ    第２アーム部
６８ｅ    第２アーム部の後端部
６８ｆ    第２アーム部のスナップフィット部
７０      通常時／非常時兼用の操作レバー部材（通常時／非常時兼用操作部、第１操作レバー部材）
７０Ａ    大洗浄モード操作状態の操作レバー部材
７０Ｂ    小洗浄モード操作状態の操作レバー部材
７０ａ    通常時／非常時兼用の操作レバー部材の軸方向外側面
７０ｂ    通常時／非常時兼用の操作レバー部材における非常用の操作レバー部材側の面
７２      補給水用の分岐管
７４      オーバーフロー管
７６      大小洗浄切替機構
７８      区画壁
８０      小タンク
８０ａ    前側区画壁
８２      開口部
８４      大小切替弁
８６      玉鎖
８８      表側操作ユニットの第１ケース本体部（ケース本体部）
８８ａ    ねじ溝
８８ｂ    開口部
８８ｃ    貫通穴
９０      表側操作ユニットの第２ケース本体部
９１      締結部材
９２      ワイヤ操作ユニットのチューブ部材
９２ａ    チューブ部材の前端部
９２ｂ    チューブ部材の後端部
９４      ワイヤ操作ユニットのワイヤ部材
９４ａ    ワイヤ部材の前端部
９４ｂ    ワイヤ部材の突起
９４ｃ    ワイヤ部材の後端部
９６      リング（表側操作部、環状部材）
９８      キャップ（蓋部材）
１００      ワイヤ部材（抜け止め部材）
１００ａ    ワイヤ部材の前端部
１００ｂ    ワイヤ部材の後端部
１０１      ビス
１０２      圧縮コイルばね（表側操作用の付勢部材）
１０４      保持部材
１０４ａ    保持部材の前端部（凹部）
１０６      スピンドル（第２回転軸）
１０６ａ    スピンドルの軸方向の外側端部
１０６ｂ    スピンドルの軸方向の中間部
１０８      非常用の操作レバー部材（裏側操作部、第２操作レバー部材）
１０８ａ    非常用の操作レバー部材の基端部
１０８ｂ    非常用の操作レバー部材の先端部
１０８ｃ    非常用の操作レバー部材の連結部（連結部）
１０８ｄ    非常用の操作レバー部材の連結部の切欠き溝
１０８ｅ    非常用の操作レバー部材の湾曲部
１１０      ガイド部材
１１０ａ    ガイド部材の軸方向の外側端部
１１２      ねじりコイルばね（裏側操作用の付勢部材）
１１４      ナット
１１６      ワッシャ
１１８      ナット
１２０      ビス
２００      洗浄水タンク装置
２１８      貯水タンク
２１８ａ    排水口（排水部）
２２０      排水弁装置（排水部、排水弁）
２２４      給水弁装置
２２４ａ    フロート
２２４ｂ    吐水管
２２４ｃ    レバー
２２４ｄ    給水バルブ
２２６      第１の引き上げ部材
２２８      第２の引き上げ部材
２３０      第１玉鎖
２３２      第２玉鎖
２３４      弁座
２３６      排水弁体
２３８      オーバーフロー管
２３８ａ    弁体保持部
２４０      制御筒
２４２      筒体
２４４      フロート
２４６      接続部材
２４８      開口部
２５０      切替弁
２５２      切替弁
２６８      固定部材（第１固定部、第２固定部）
２６８ａ    固定部材の後端部
２７０      固定部材（第３固定部）
２７０ａ    固定部材の後端部
２７０ｂ    固定部材の前端部
Ａ      一次側流路
Ａ１    非常用の操作レバー部材の連結部の中心軸線
Ｂ      二次側流路
Ｃ１    通常時／非常時兼用の操作レバー部材の操作方向
Ｃ２    通常時／非常時兼用の操作レバー部材の操作方向
Ｄ１    非常用の操作レバー部材の回転方向（第１回転方向）
Ｄ２    非常用の操作レバー部材の回転方向（第２回転方向）
Ｆ      床面
Ｉ      キャビネットの内部スペース（壁面の裏側領域）
Ｌ１    ワイヤ部材の引き出し長さ、ワイヤ部材の後端部とチューブ部材の後端部との距離
Ｗ      トイレ室壁面
ＷＬ    水位
ＤＷＬ    最低水位（死水水位）
ＷＬ１    最低水位（死水水位）
ＷＬ２    水位
ＷＬ３    止水水位（満水水位）
Ｐ１    待機位置
Ｐ２    最大操作位置
Ｒ１    外側空間領域
Ｒ２    小空間領域
Ｓ      ストローク量
α      一次側流路圧力
【図１】
0006663559.tif 000002
【図２】
0006663559.tif 000003
【図３】
0006663559.tif 000004
【図４】
0006663559.tif 000005
【図５】
0006663559.tif 000006
【図６】
0006663559.tif 000007
【図７】
0006663559.tif 000008
【図８】
0006663559.tif 000009
【図９】
0006663559.tif 000010
【図１０】
0006663559.tif 000011
【図１１】
0006663559.tif 000012
【図１２】
0006663559.tif 000013
【図１３】
0006663559.tif 000014
【図１４】
0006663559.tif 000015
【図１５】
0006663559.tif 000016
【図１６】
0006663559.tif 000017
【図１７】
0006663559.tif 000018